(57)【要約】  分類管理ファイルは、１又は複数の画像ファイルとともに記録媒体に格納され、分類された画像ファイル群を管理する。分類管理ファイルは、記録媒体に格納された画像ファイルの中で管理すべき画像ファイルを指定するための指定情報（IMG SRC = ...）と、指定情報により指定される画像ファイルの分類を示す分類情報（VUQ SLT = child）とを含む。指定情報は録媒体に格納された画像ファイルを自動再生制御するための管理ファイルの記述方法を規定した第１の取り決め（例えば、ＤＰＯＦ：Digital Print Order Format）にしたがい記述される。分類情報は第１の取り決めと異なる第２の取り決めにしたがい記述される。
2008081781.tif 000002
【特許請求の範囲】
【請求項１】
１又は複数の画像ファイルとともに記録媒体に格納され、分類された画像ファイル群を管理する分類管理ファイルであって、
前記記録媒体に格納された画像ファイルの中で管理すべき画像ファイルを指定するための指定情報と、前記指定情報により指定される画像ファイルの分類を示す分類情報とを含み、
前記指定情報は、前記記録媒体に格納された画像ファイルを自動再生制御するための管理ファイルの記述方法を規定した第１の取り決めにしたがい記述され、前記分類情報は、前記第１の取り決めと異なる第２の取り決めにしたがい記述された、
分類管理ファイル。
【請求項２】
１又は複数の画像ファイルとともに記録媒体に格納される分類管理ファイルを参照して前記記録媒体に記録された画像ファイル群を分類する画像分類装置であって、
前記分類管理ファイルは、
前記記録媒体に格納された画像ファイルの中で管理すべき画像ファイルを指定するための指定情報と、前記指定情報により指定される画像ファイルの分類を示す分類情報とを含み、
前記指定情報は、前記記録媒体に格納された画像ファイルを自動再生制御するための管理ファイルの記述方法を規定した第１の取り決めにしたがい記述され、前記分類情報は、前記第１の取り決めと異なる第２の取り決めにしたがい記述され、
前記画像分類装置は、前記記録媒体から分類管理ファイルを読み出す手段と、分類管理ファイルを解釈して、前記記録媒体内に格納された画像ファイルを前記指定情報に基づいて特定し、前記特定された画像ファイルを前記分類情報に基づいて分類する制御手段とを備える、
画像分類装置。
【請求項３】
１又は複数の画像ファイルとともに記録媒体に格納され、分類された画像ファイル群を管理する分類管理ファイルを作成する分類管理ファイル作成装置であって、
前記分類管理ファイルを作成する制御手段を備え、
前記分類管理ファイルは、
前記記録媒体に格納された画像ファイルの中で管理すべき画像ファイルを指定するための指定情報と、前記指定情報により指定される画像ファイルの分類を示す分類情報とを含み、
前記指定情報は、前記記録媒体に格納された画像ファイルを自動再生制御するための管理ファイルの記述方法を規定した第１の取り決めにしたがい記述され、前記分類情報は前記第１の取り決めと異なる第２の取り決めにしたがい記述される、
分類管理ファイル作成装置。
【請求項４】
前記画像ファイルは、その画像ファイルが属する分類を示す分類識別子を格納可能であり、
前記制御手段は、前記分類識別子が前記画像ファイルに格納されている場合、前記分類識別子を読み出し、前記読み出した分類識別子に基づいて、前記分類情報を前記分類管理ファイルに記録する、
請求項３に記載の分類管理ファイル作成装置。
【請求項５】
前記記録媒体に格納可能な分類管理ファイルの数よりも前記分類情報の種類の数の方が多い、請求項４に記載の分類管理ファイル作成装置。
【請求項６】
前記制御手段は、自動再生用の管理ファイルであることを示す所定のファイル名を前記分類管理ファイルに付す、請求項３に記載の分類管理ファイル作成装置。
【請求項７】
前記制御手段は、前記分類管理ファイルに、事前に用意された所定数のファイル名の中の未使用の１つのファイル名を、前記管理ファイルのファイル名とその管理ファイル内に記載されている分類情報との対応関係を固定せずに割り当てる、
請求項３に記載の分類管理ファイル作成装置。
【請求項８】
前記制御手段は、前記自動再生用の管理ファイルであることを示す情報に前記分類管理ファイルを識別するための識別子を加えた情報を、前記分類管理ファイルのファイル名とする、
請求項３に記載の分類管理ファイル作成装置。
【請求項９】
前記分類管理ファイルを作成する旨の指示を受け付ける受付手段をさらに備え、
前記制御手段は、前記受付手段が前記指示を受け付けると、前記分類管理ファイルを作成する、請求項３に記載の分類管理ファイル作成装置。
【請求項１０】
被写体像を撮像して画像データを生成する撮像素子と、
前記画像データから画像ファイルを生成する画像処理手段と、
前記生成された画像ファイルを前記記録媒体に記録する記録手段とをさらに備え、
前記制御手段は、前記記録手段が前記記録媒体に画像ファイルを記録した回数に応じて、ユーザに対して、前記分類管理ファイルを作成するか否かの問い合わせを行う、請求項９に記載の分類管理ファイル作成装置。
【請求項１１】
被写体像を撮像して画像データを生成する撮像素子と、
前記画像データから画像ファイルを生成する画像処理手段と、
前記生成された画像ファイルを前記記録媒体に記録する記録手段とをさらに備え、
前記制御手段は、前記撮像素子が画像データを生成した回数に応じて、ユーザに対して、前記分類管理ファイルを作成するか否かの問い合わせを行う、請求項９に記載の分類管理ファイル作成装置。
【請求項１２】
被写体像を撮像して画像データを生成する撮像素子と、
前記画像データから画像ファイルを生成する画像処理手段と、
前記生成された画像ファイルを前記記録媒体に記録する記録手段とをさらに備え、
前記制御手段は、前記記録媒体に格納されている画像ファイルの数又は前記記録媒体の空き容量に応じて、ユーザに対して、前記分類管理ファイルを作成するか否かの問い合わせを行う、請求項９に記載の分類管理ファイル作成装置。
【請求項１３】
被写体像を撮像して画像データを生成する撮像素子と、
前記画像データから画像ファイルを生成する画像処理手段と、
前記生成された画像ファイルを前記記録媒体に記録する記録手段とをさらに備え、
前記制御手段は、前記撮像素子が画像データを生成した回数に応じて、前記分類管理ファイルを作成又は更新する、請求項３に記載の分類管理ファイル作成装置。
【請求項１４】
前記分類管理ファイル作成装置の電源の入／切の指示を受ける電源操作手段をさらに備え、
前記制御手段は、前記電源操作手段が前記分類管理ファイル作成装置の電源切の指示を受けたときに、前記分類管理ファイルを作成又は更新する、
請求項３に記載の分類管理ファイル作成装置。
【請求項１５】
前記制御手段は、前記分類管理ファイルを作成する際に、同じ分類情報を含む分類管理ファイルが既に存在する場合、既存の分類管理ファイルを上書きする、請求項３に記載の分類管理ファイル作成装置。
【請求項１６】
前記制御手段は、前記分類管理ファイルを作成する際に、同じ分類情報を含む分類管理ファイルが既に存在する場合、
前記分類管理ファイルで既に指定されている画像ファイル及び／又は新たに指定された画像ファイルが前記記録媒体に記録されているか否かを、前記記録媒体に記録されているファイル・アロケーション・テーブル（ＦＡＴ）を参照することにより確認し、
その確認結果にしたがって、新たに指定された画像ファイルの指定情報を、既存の分類管理ファイルに追加する、
請求項３に記載の分類管理ファイル作成装置。
【請求項１７】
前記制御手段は、
前記分類管理ファイルに記載可能な指定情報の数に上限を設け、
前記分類管理ファイルに記載すべき指定情報の数が前記上限を超える場合、上限を超える旨をユーザに対して通知する、請求項３に記載の分類管理ファイル作成装置。
【請求項１８】
前記制御手段は、
前記分類管理ファイルに記載可能な指定情報の数に上限を設け、
前記分類管理ファイルに記載すべき指定情報の数が前記上限を超える場合、上限を超える旨を分類前記管理ファイルに記載する、
請求項３に記載の分類管理ファイル作成装置。
【請求項１９】
前記制御手段は、
前記分類管理ファイルに記載可能な指定情報の数に上限を設け、
前記分類管理ファイルに記載すべき指定情報の数が前記上限を超える場合、前記記録媒体に記録された時間がより現在の時刻に近い画像ファイルの指定情報を、優先的に前記分類管理ファイルに記載する、請求項３に記載の分類管理ファイル作成装置。
【請求項２０】
前記制御手段は、前記記録媒体に格納されている画像ファイルであって、前記記録媒体に記録された時間が所定期間内にある画像ファイルを特定するための指定情報を前記分類管理ファイルに記載する、請求項３に記載の分類管理ファイル作成装置。
【請求項２１】
表示手段をさらに備え、
前記制御手段は、前記分類管理ファイルの作成処理について、その処理に要する時間を示す情報を前記表示手段に表示させる、請求項３に記載の分類管理ファイル作成装置。
【請求項２２】
表示手段をさらに備え、
前記制御手段は、前記分類管理ファイルの作成処理について、作成処理の進捗状況を示す情報を前記表示手段に表示させる、請求項３に記載の分類管理ファイル作成装置。
【請求項２３】
前記記録媒体に記録され、画像ファイルの記録順序を特定できる情報を含むテーブルに基づいて、記録時刻に応じて分類された画像を管理する分類管理ファイルを作成する、請求項３記載の分類管理ファイル作成装置。
【請求項２４】
前記第１の取り決めは前記所定フォーマットに必須の取り決めであり、前記第２の取り決めは前記所定フォーマットにおいて製造業者が任意に設定可能な取り決めである、請求項１記載の分類管理ファイル。
【請求項２５】
前記第１の取り決めは前記所定フォーマットに必須の取り決めであり、前記第２の取り決めは前記所定フォーマットにおいて製造業者が任意に設定可能な取り決めである、請求項２記載の画像分類装置。
【請求項２６】
前記第１の取り決めは前記所定フォーマットに必須の取り決めであり、前記第２の取り決めは前記所定フォーマットにおいて製造業者が任意に設定可能な取り決めである、請求項３記載の分類管理ファイル作成装置。
【発明の詳細な説明】
【技術分野】
【０００１】
本発明は、記録媒体に記録された複数の画像データを分類して管理するための分類管理ファイル及び分類管理ファイルを作成する装置に関する。
【背景技術】
【０００２】
デジタルカメラでは一般に撮影した画像データを脱着可能な記録媒体に記録する。このような記録媒体はフラッシュメモリ等の不揮発性メモリを含み、例えば、ＳＤカード、コンパクトフラッシュ（登録商標）、スマートメディア（登録商標）、メモリスティック（登録商標）等がある。【０００３】
デジタルカメラにより撮像した画像を記録媒体に記録する場合、画像データとともに、それを管理する管理ファイルが記録される。管理ファイルは、例えば、画像データの撮影日時やファイル名等の一般的な管理情報とともに、デジタルカメラに提供される種々の機能を実現するための管理情報を含む。【０００４】
また、記録媒体は、デジタルカメラのみならず、携帯情報端末、プラズマディスプレイ、液晶テレビ、ＤＶＤプレーヤ、ハードディスクレコーダ等のＡＶ機器においても利用される。【０００５】
例えば、プラズマディスプレイやハードディスクレコーダ等のＡＶ機器には、ＳＤカード等の記録媒体を挿入するためのスロットを備え、スロットに挿入された記録媒体に格納された画像を再生する機能を有するものがある。このようなＡＶ機器により、ユーザは、デジタルカメラで撮影した画像を、記録媒体を介して、プラズマディスプレイやハードディスクレコーダ等において容易に閲覧することができる。【０００６】
一方、記録媒体は年々大容量化され、一つの記録媒体に記録され得る画像データ量も増加してきている。このため、記録媒体には多くの画像データが格納されている場合が多くなってきた。このような状況下では、ユーザは、閲覧したい所望の画像（例えば、子供が撮影された画像）を探すために煩雑な作業を行う必要がある。【０００７】
このような問題を解決するために画像データを分類して管理することが有効である。デジタルカメラで撮像された画像データの分類技術に関し、特許文献１に開示がある。
【特許文献１】特開２００６−２２９２９３号公報
【発明の開示】
【発明が解決しようとする課題】
【０００８】
特許文献１は、画像データとキーワードとを対応づける情報を記述した分類用データと、画像データとを関連づけて記録媒体に記録するデジタルカメラを開示している。しかし、特許文献１では、分類用データは、その分類用データを生成したデジタルカメラでしか認識できないフォーマットで記述されており、そのデジタルカメラ以外の機器では通常認識できないと考えられる。他の機器において分類用データを認識できるようにするためには、他の機器において分類用データを認識するための手段（例えば、専用の制御プログラム）を実装する必要がある。また、デジタルカメラで生成した分類用データから、フォーマットが異なる他の機器においても認識できる分類用データを生成することは容易なことではない。また、デジタルカメラで撮影した画像データを記録媒体を介してＡＶ機器に提供し再生するという上記のような利用形態においては、特許文献１に開示の分類用データではその機能を発揮することはできない。【０００９】
本発明は上記課題を解決すべくなされたものであり、その目的とするところは、異機種間での画像データの分類情報の共有化を実現しつつ、容易に生成される分類管理ファイル及びそのような分類管理ファイルを作成する分類管理ファイル作成装置を提供することにある。
【課題を解決するための手段】
【００１０】
本発明の第１の態様において、１又は複数の画像ファイルとともに記録媒体に格納され、分類された画像ファイル群を管理する分類管理ファイルが提供される。分類管理ファイルは、記録媒体に格納された画像ファイルの中で管理すべき画像ファイルを指定するための指定情報と、指定情報により指定される画像ファイルの分類を示す分類情報とを含む。指定情報は、記録媒体に格納された画像ファイルを自動再生制御するための管理ファイルの記述方法を規定した第１の取り決めにしたがい記述され、分類情報は第１の取り決めと異なる第２の取り決めにしたがい記述される。【００１１】
本発明の第２の態様において、１又は複数の画像ファイルと共に記録媒体に格納される分類管理ファイルを参照して記録媒体に記録された画像ファイル群を分類する画像分類装置（例えば、テレビ装置、ＤＶＤレコーダ）が提供される。
分類管理ファイルは、記録媒体に格納された画像ファイルの中で管理すべき画像ファイルを指定するための指定情報と、指定情報により指定される画像ファイルの分類を示す分類情報とを含む。指定情報は、録媒体に格納された画像ファイルを自動再生制御するための管理ファイルの記述方法を規定した第１の取り決めにしたがい記述され、分類情報は第１の取り決めと異なる第２の取り決めにしたがい記述される。画像分類装置は、記録媒体から分類管理ファイルを読み出す手段と、分類管理ファイルを解釈して、記録媒体内に格納された画像ファイルを指定情報に基づいて特定し、特定された画像ファイルを分類情報に基づいて分類する制御手段とを備える。【００１２】
本発明の第３の態様において、１又は複数の画像ファイルとともに記録媒体に格納され、分類された画像ファイル群を管理する分類管理ファイルを作成する分類管理ファイル作成装置（例えば、デジタルカメラ）が提供される。
管理ファイル作成装置は分類管理ファイルを作成する制御手段を備える。分類管理ファイルは、記録媒体に格納された画像ファイルの中で管理すべき画像ファイルを指定するための指定情報と、指定情報により指定される画像ファイルの分類を示す分類情報とを含む。指定情報は、記録媒体に格納された画像ファイルを自動再生制御するための管理ファイルの記述方法を規定した第１の取り決めにしたがい記述され、分類情報は第１の取り決めと異なる第２の取り決めにしたがい記述される。
【発明の効果】
【００１３】
本発明によれば、異機種間での分類情報の共有化を実現する自動再生用の管理ファイルをベースとして、その管理ファイルに分類情報を追加するだけで、その管理ファイルを分類管理ファイルとして機能させることができる。これにより、異機種間での分類情報の共有化を実現できる分類管理ファイルを容易に生成することができる。
【図面の簡単な説明】
【００１４】
【図１】本発明の全体システムの構成例を示す図
【図２】分類された画像のスライドショー表示を説明した図
【図３】デジタルカメラの構成図
【図４】（ａ）デジタルカメラの背面図、（ｂ）モードダイアルを示す図
【図５】シーン撮影モードの選択画面を示す図
【図６】Ｅｘｉｆフォーマットの画像ファイルの構成を示す図
【図７】メモリカードのディレクトリ構成を示す図
【図８】アルバム用ＤＰＯＦファイルの記述例を示す図
【図９】メモリカードのディレクトリ構成を示す図
【図１０】ＤＰＯＦファイルと分類名の対応テーブルの構成例を示す図
【図１１】本発明の実施の形態１におけるデジタルカメラの撮像及びＤＰＯＦ作成動作を示すフローチャート
【図１２】整合性チェック処理を示すフローチャート
【図１３】ＦＡＴ（File Allocation Table）の構成を示す図
【図１４】「最近の１００枚」のＤＰＯＦ作成動作の処理を示すフローチャート
【図１５】アルバム確認動作の処理を示すフローチャート
【図１６】アルバム確認動作時に表示される画面を説明した図
【図１７】表示装置の構成を示す図
【図１８】プログラムテーブルの構成を示す図
【図１９】アルバム選択及び再生動作の処理を示すフローチャート
【図２０】アルバム選択時に表示される画面を説明した図
【図２１】アルバム作成指示用の専用ボタンを備えたデジタルカメラの背面図
【図２２】本発明の実施の形態２のデジタルカメラにおけるアルバム用ＤＰＯＦファイルの作成処理のフローチャート
【図２３】本発明の実施の形態３のデジタルカメラの撮像動作の処理を示すフローチャート
【図２４】ユーザにアルバムを作成するか否かを確認する選択画面を示す図
【図２５】「今日撮影したもの」のカテゴリに対応するアルバム用ＤＰＯＦファイルの記述例を示す図
【図２６】本発明の実施の形態４のデジタルカメラの撮像及びＤＰＯＦ作成動作の処理を示すフローチャート
【図２７Ａ】本発明の実施の形態５におけるアルバム用ＤＰＯＦファイルの記述例を示す図
【図２７Ｂ】本発明の実施の形態５におけるアルバム用ＤＰＯＦファイルの記述例を示す図
【図２８】本発明の実施の形態５におけるアルバム用ＤＰＯＦファイルの記述例を示す図
【図２９】本発明の実施の形態６におけるホームサーバの構成を示す図
【図３０】ホームサーバとデジタルカメラ間のデータのやりとりを説明した図
【符号の説明】
【００１５】
３  ＣＣＤ（撮像素子）
７  信号処理回路
９、３３  マイコン
１１、３７  操作部
１３  液晶モニタ
１５、３９  カードスロット
１９、４１  バッファメモリ
２１、４３  フラッシュメモリ
３１  画像処理部
３５  表示部
１００  デジタルカメラ
２００  メモリカード
３００  表示装置
４００  ホームサーバ（ハードディスクレコーダ）
５００  プリンタ
【発明を実施するための最良の形態】
【００１６】
以下、添付の図面を参照して本発明の実施の形態を説明する。【００１７】
（実施の形態１）
１−１  全体システム
図１は、本発明のシステム全体の構成例を説明した図である。同図において、システムは、撮像装置１００と、プラズマディスプレイパネルテレビや液晶テレビ等の表示装置３００と、ＨＤＤレコーダ等のホームサーバ４００と、プリンタ５００とで構成される。【００１８】
撮像装置１００で撮影された画像データはメモリカード２００に記録される。メモリカード２００は、ＳＤカード、コンパクトフラッシュ（登録商標）、スマートメディア（登録商標）、メモリスティック（登録商標）を含む。表示装置３００、ホームサーバ４００及びプリンタ５００のそれぞれは、メモリカード２００を挿入するためのカードスロットを備え、メモリカード２００を介して撮像装置１００で撮影された画像データを取得し、再生できる。また、プリンタ５００はメモリカード２００を介して撮像装置１００で撮影された画像データを取得し、印刷することができる。【００１９】
このように本システムでは、メモリカード２００を介して、撮像装置１００で撮影された画像データを表示装置３００、ホームサーバ４００及びプリンタ５００で利用することができる。【００２０】
メモリカード２００には、画像ファイルとともに、分類された画像ファイルを管理するための分類管理ファイルが記録されている。表示装置３００、ホームサーバ４００及びプリンタ５００は、メモリカード２００に記録された分類管理ファイルを参照することで、メモリカード２００に記録された複数の画像ファイルの中から同じ分類に属する画像ファイルのみを自動再生（スライドショー表示）させたり、印刷させることが可能となる。例えば、図２に示すように、表示装置３００はメモリカード２００に格納された分類管理ファイルを参照し、「子供の成長記録」として分類された画像ファイルのみを自動再生（スライドショー表示）させることができる。【００２１】
撮像装置１００は、デジタルスチルカメラ、デジタルビデオカメラ、カメラ機能付携帯端末であってもよい。なお、以下では、撮像装置１００の一例としてデジタルスチルカメラ（以下「デジタルカメラ」という。）を用いて説明する。【００２２】
１−２  デジタルカメラ
図３にデジタルカメラ１００の構成を示す。デジタルカメラ１００は、レンズ１と、光学情報を電気信号に変換するＣＣＤ３と、ＣＣＤ３からのアナログ信号をデジタル信号に変換するＡ／Ｄ変換器３と、Ａ／Ｄ変換器３からのデジタル信号が示す画像データに対して所定の信号処理を行う信号処理回路７と、デジタルカメラ全体の動作制御を行うマイコン９とを備える。さらに、デジタルカメラ１００は、ユーザが操作を行う操作部１１と、液晶モニタ１３と、メモリカード２００を挿入するカードスロット１５と、外部装置またはネットワークと通信を行う通信部１７と、作業記憶領域であるバッファメモリ１９と、フラッシュメモリ２１とを備える。【００２３】
信号処理回路７は、Ａ／Ｄ変換器３から出力された画像データに対して、ガンマ補正等の前処理、ＹＣ変換、画像圧縮、画像伸張、電子ズーム処理等の所定のデータ処理を行う。信号処理回路７で処理された画像データはバッファメモリ１９に一時的に格納される。【００２４】
操作部１１はユーザが種々の操作を行うための各種操作ボタンを含む。図４（ａ）はデジタルカメラ１００の背面図である。同図に示すように、操作部１１は、シャッタボタン１１ａ、撮影モードを選択するためのモードダイアル１１ｂ、種々の設定項目を指定するための方向キー１１ｃを含む。図４（ｂ）はモードダイアル１１ｂの詳細を示した図である。本実施形態のデジタルカメラ１００は、撮影モードとして、動画撮影モード、シーン撮影モード、ユーザ１モード、ユーザ２モード等が選択可能となっている。動画撮影モードは動画を撮影する際に選択されるモードである。ユーザ１モード、ユーザ２モードは、ユーザが自由に撮影条件を設定できるモードである。シーン撮影モードは、画像データに対して所定の分類情報を付加して記録するモードである。以下、シーン撮影モードについて説明する。【００２５】
１−２−１  シーン撮影モード
シーン撮影モードにはさらに複数の撮影モードが含まれる。シーン撮影モードで画像を撮像した場合、画像データは、その撮影モードに対応した分類情報が付加されてメモリカード２００に記録される。図４（ｂ）に示すモードダイアル１１ｂにより、シーン撮影モードが選択されると、図５に示すような選択画面が液晶モニタ１３上に表示される。同図に示すように、撮影モードの選択画面が表示される。図５において、シーン撮影モードとして、「お父さん」、「お母さん」、「子供の成長記録」、「旅行」、「料理」、「仕事」の撮影モードが設定されている。【００２６】
「子供の成長記録」モードでは、画像撮影時に、子供の月齢年齢を算出し、画像ファイルのヘッダに格納する。また、「子供の成長記録」モードを示す識別子（以下「シーン識別子」という）である「ｃｈｉｌｄ」が分類情報として画像ファイルのヘッダに記録される。なお、「子供の成長記録」モード用として、計算に用いる子供の誕生日の情報が、ユーザにより事前にデジタルカメラ１００（フラッシュメモリ２１）に格納される。月齢年齢は子供の生年月日とＦＡＴの記録日付／時刻の情報とから計算される。【００２７】
「旅行」モードでは、画像撮影時に、旅行開始日から何日目かを算出し、算出した日数を画像ファイルのヘッダに格納する。また、「旅行」モードのシーン識別子である「ｔｒａｖｅｌ」が分類情報として画像ファイルのヘッダに記録される。なお、「旅行」モード用として、旅行の開始日、終了日の情報がユーザにより事前にデジタルカメラ１００（フラッシュメモリ２１）に格納される。【００２８】
「料理」モードは、画像は固定された撮像条件（ホワイトバランス等）で撮像される。すなわち、「料理」モードでは、料理がおいしく見えるような撮像条件が設定されている。また、「料理」モードのシーン識別子である「ｃｏｏｋｉｎｇ」が分類情報として画像ファイルのヘッダに記録される。【００２９】
「お父さん」モード、「お母さん」モードは、特定のユーザ別に使用できるように設定され、ユーザにより撮影条件や画像記録場所のカスタマイズが可能である。また、「お父さん」モード、「お母さん」モードのシーン識別子である「ｆａｔｈｅｒ」、「ｍｏｔｈｅｒ」が分類情報として画像ファイルのヘッダに記録される。【００３０】
「仕事」モードでは、画像ファイルに対して”仕事”の分類情報が付加される。また、「仕事」モードのシーン識別子である「ｊｏｂ」が、分類情報として画像ファイルのヘッダに記録される。なお、「仕事」モード以外に、ユーザの用途に応じた種々のモードを設けても良い。【００３１】
１−２−２  ディレクトリ構成、データフォーマット
本実施形態のデジタルカメラ１００およびメモリカード２００で取り扱うデータフォーマット、ディレクトリ構成等について説明する。【００３２】
１−２−２−１  画像ファイルフォーマット
本実施形態では、画像データはＥｘｉｆフォーマット（Exchangeable Image File Format）にしたがい記録される。図６にＥｘｉｆフォーマットの画像ファイルの構成を示す。【００３３】
Ｅｘｉｆフォーマットでは、画像データ（本画像）に対してヘッダ部（以下「Ｅｘｉｆヘッダ」という。）が付加される。Ｅｘｉｆヘッダには、画像データ（本画像）のサムネイル画像や属性情報が格納される。特に本実施形態では、属性情報として、どの撮影モードで撮影されたかを示すモード情報、撮影日時、子供の月齢年齢情報（子供の成長記録モードの場合）等の情報が記録される。モード情報はシーン撮影モードで撮影されたときに記録され、モード情報として、撮影モードを特定するシーンモード識別子が記録される。【００３４】
例えば、撮影モードが「子供の成長記録」モードであるときは、Ｅｘｉｆヘッダにモード情報として識別子「ｃｈｉｌｄ」が記録される。さらに、月齢年齢が計算されＥｘｉｆヘッダに記録される。【００３５】
また、「旅行」モードである場合、旅行の開始日から終了日の間に撮影した全画像データについて、そのＥｘｉｆヘッダにモード情報として識別子「ｔｒａｖｅｌ」が付加される。すなわち、旅行期間中に撮影した画像全てに自動的に旅行モードを示す識別子が付加される。旅行期間中に別のモードで撮影した画像には、旅行モードを示す識別子に加えて、それとはの別のモードを示す識別子がＥｘｉｆヘッダに付加される。【００３６】
１−２−２−２  ディレクトリ構成
図７に、メモリカード２００のディレクトリ構成の一例を示す。メモリカード２００において、画像データはＤＣＦ（Design rule for Camera File system）規格にしたがい記録される。ＤＣＦ規格によれば、ルート（root）ディレクトリの下に、画像ファイルを格納するＤＣＩＭフォルダと、画像ファイルに対する管理ファイルを格納するＭＩＳＣフォルダとが存在する。図７では、ＤＣＩＭフォルダの下の１００フォルダに、３つの画像ファイル（P1000001.JP、P1000002.JP、P1000003.JP）が格納され、ＭＩＳＣフォルダに、２つの自動再生用ＤＰＯＦファイル（AUTPLAY4.MRK、AUTPLAY9.MRK）が格納されている。【００３７】
１−２−２−３  アルバム用ＤＰＯＦファイル（分類管理ファイル）
本実施形態のデジタルカメラ１００はＤＰＯＦ（Digital Print Order Format）規格に準拠している。ＤＰＯＦ規格は、メモリカードのような記録媒体に記録された画像データ等の自動印刷、自動送信、自動再生を制御するための仕様を定めている。制御情報はＤＰＯＦファイルに記述される。例えば、自動再生のための制御情報は、ファイル名が”ＡＵＴＰＬＡＹｎ．ＭＲＫ”である自動再生用ＤＰＯＦファイルに記述される。メモリカードに画像データとともに自動再生用ＤＰＯＦファイルを格納しておけば、ＤＰＯＦ規格に準拠した機器にそのメモリカードがロードされた場合、その機器は、自動再生用ＤＰＯＦファイルの記述を解釈し、ＤＰＯＦファイル内に指定された画像を、指定された方法にしたがい自動再生（スライドショー表示）する。【００３８】
本実施形態では、特に自動再生用のＤＰＯＦファイル（ＡＵＴＰＬＡＹｎ．ＭＲＫ）を分類管理ファイルとして機能させる。具体的には、自動再生用ＤＰＯＦファイルの記述中に画像ファイルの分類を示す分類情報を含めることで、自動再生用ＤＰＯＦファイルを分類管理ファイルとして機能させる。以下、分類管理ファイルとして機能する自動再生用ＤＰＯＦファイルを「アルバム用ＤＰＯＦファイル」と呼ぶ。【００３９】
図８にアルバム用ＤＰＯＦファイル（”ＡＵＴＰＬＡＹ５．ＭＲＫ”）の記述例を示す。図８の記述において［ＨＤＲ］で始まるセクションはヘッダ部である。ヘッダ部のうち、GEN REV から USR UAD までの部分（Ａ）の記述はＤＰＯＦ規格に準拠して記述されている。特にこの部分は、ＤＰＯＦ規格に準拠した装置であれば、必ず解釈できるようにＤＰＯＦの必須の取り決めにしたがい記述される。ヘッダ部の各記述は以下の情報を定義する。
GEN REV:  ＤＰＯＦのバージョン
GEN CRT:  デジタルカメラの識別情報
USR UNM:  ユーザ名
USR UAD:  ユーザの住所【００４０】
また、VUQ RGN = BGN から VUQ RGN = ENDで挟まれた部分（Ｂ）の記述は、ＤＰＯＦ規格において、機器の製造業者等が自由に設定できるように取り決められている。この部分（Ｂ）はＤＰＯＦ規格に準拠しているだけの装置では解釈できず、製造業者等の特別な取り決めに準拠している装置のみが解釈できる。以下、この部分（Ｂ）の記述を「ベンダーユニークの部分」という。本実施形態において、VUQ RGN = BGN〜VUQ RGN = ENDの部分（Ｂ）の記述は以下の情報を指定する。
VUQ VNM:  ベンダー名
VUQ SLT:  画像の分類情報【００４１】
自動再生用ＤＰＯＦファイルに画像ファイルの分類を示す分類情報（VUQ SLT）を記述することで、当該ＤＰＯＦファイルを分類管理ファイルとして機能させる。【００４２】
「ＪＯＢ」で始まるセクションは自動再生すべき画像ファイルを指定する。１つの「ＪＯＢ」のセクションにおいて、１つまたは複数の画像ファイルを指定できる。
PLY PID:  ジョブの識別子
PLY DUR:  一画像の再生時間（sec）
IMG FMT:  画像ファイルのフォーマット
IMG SRC:  自動再生される画像の情報（パス名及びファイル名）【００４３】
VUQ RGN = BGN 〜 VUQ RGN = ENDの記述すなわちベンダーユニークの記述を理解できる装置は、図８のＤＰＯＦファイル（分類管理ファイル）で指定された画像が「ｃｈｉｌｄ（子供記録モード）」で分類された画像であることが認識できる。【００４４】
一方、ＤＰＯＦ規格に準拠しているが、ベンダーユニークの部分の記述（VUQ RGN = BGN  〜  VUQ RGN = END）を理解できない装置は、ベンダーユニークの部分にＪＯＢが記載されていることから、このＤＰＯＦファイル（分類管理ファイル）が自動再生（スライドショー）用の管理ファイルであることは認識できるが、再生すべき画像ファイルが存在しないと認識する。但し、VUQ RGN = BGN 〜 VUQ RGN = ENDの外部に「ＪＯＢ」が記載されていれば、その装置でも、ＪＯＢの記述を理解し、自動再生することができる。【００４５】
以上のように、画像ファイル名をVUQ RGN = BGN 〜 VUQ RGN = ENDで囲うことにより、その中の画像ファイルを、ベンダーユニークの記述を理解できない装置が誤って自動再生するということを防止できる。【００４６】
図９は、図７に示すディレクトリ構造を持つメモリカード２００において、２つの画像ファイル（Ｐ１０１０００１．ＪＰＧ、Ｐ１０１０００２．ＪＰＧ）が新たに追加され、それにともない、それらの画像ファイルに対する分類管理ファイル（ＡＵＴＰＬＡＹ５．ＭＲＫ）が追加されたときのディレクトリ構造を示した図である。【００４７】
１−２−２−４  アルバム用ＤＰＯＦファイルと分類名の対応テーブル
本実施形態のデジタルカメラ１００は、ＤＰＯＦファイルと分類名の対応テーブルを有している。以下この対応テーブルについて説明する。【００４８】
ＤＰＯＦファイルがアルバム用ＤＰＯＦファイルであるのか、また、アルバム用ＤＰＯＦファイルがどの分類に対応するのかを認識することは、ＤＰＯＦファイルを解析することで可能である。しかし、ＤＰＯＦファイルの内容を認識する必要がある度毎に、ＤＰＯＦファイルを解析したのでは処理に時間を要する。【００４９】
そこで、本実施形態のデジタルカメラは自動再生用ＤＰＯＦファイルと分類名の対応テーブルを有している。対応テーブルは、デジタルカメラ１００の電源オン時、またはメモリカード２００の挿入時に作成されてバッファメモリ１７に格納される。図１０は対応テーブルの例を示した図である。図１０に示すように対応テーブル２５はＤＰＯＦファイルのファイル名と分類（分類情報）とを関連づけている。【００５０】
図１０において、「ＡＵＴＰＬＡＹ０．ＭＲＫ」〜「ＡＵＴＰＬＡＹ９．ＭＲＫ」は自動再生用のＤＰＯＦファイルである。本実施形態では、利用可能な自動再生用ＤＰＯＦファイルの数を１０個に制限している。具体的には、「ＡＵＴＰＬＡＹ０．ＭＲＫ」〜「ＡＵＴＰＬＡＹ９．ＭＲＫ」に制限している。【００５１】
「ＡＵＴＰＬＡＹ０．ＭＲＫ」〜「ＡＵＴＰＬＡＹ３．ＭＲＫ」のＤＰＯＦは所定の用途（分類）に固定して使用される。例えば「ＡＵＴＰＬＡＹ１．ＭＲＫ」はスライドショー用管理ファイルとして固定し、「ＡＵＴＰＬＡＹ３．ＭＲＫ」は、ユーザのお気に入りの画像ファイルを管理するための管理ファイルとして固定する。これらのＤＰＯＦファイルには分類名「ｎｏｎ」が割り当てられる。「ｎｏｎ」は対応がないことを示す分類名である。【００５２】
「ＡＵＴＰＬＡＹ９．ＭＲＫ」は、「最近の１００枚」という分類カテゴリに対するファイルとして固定する。これにより「最近の１００枚」用のＤＰＯＦファイルの領域が確実に確保され、「最近の１００枚」用のＤＰＯＦファイルを確実に設定することが可能となる。なお、「最近の１００枚」は、ユーザが最近に撮影した１００枚の画像を管理するカテゴリであり、このカテゴリに分類される画像ファイルが「最近の１００枚」アルバムを構成する。【００５３】
「ＡＵＴＰＬＡＹ４．ＭＲＫ」〜「ＡＵＴＰＬＡＹ８．ＭＲＫ」については任意の分類カテゴリが割り当てられる。新たな撮影モードで撮影された画像がメモリカード２００内に記憶される毎に、その撮影モードの情報（モード情報）が、「ＡＵＴＰＬＡＹ４．ＭＲＫ」〜「ＡＵＴＰＬＡＹ８．ＭＲＫ」のファイルの中で未だ分類が割り当てられていない１つのファイルに割り当てられる。現実の利用を考慮すれば、メモリカードに現実に格納されている画像データの分類の数だけＤＰＯＦファイル（分類管理ファイル）があれば十分である。よって、このような方法により、デジタルカメラに設定できるシーン撮影モードの数を、自動再生用ＤＰＯＦファイルの制限数（本例では１０）よりも多く設定することが可能となる。【００５４】
図１０（ａ）は、子供の成長記録モードで撮影前の対応テーブル２５の状態を、図１０（ｂ）は、子供の成長記録モードで撮影後の対応テーブル２５の状態の一例を示した図である。図１０（ａ）において、ＤＰＯＦファイル「ＡＵＴＰＬＡＹ５．ＭＲＫ」〜「ＡＵＴＰＬＡＹ８．ＭＲＫ」には「ｎｏｎ」が関連づけられている。「ｎｏｎ」は対応がないことを示すため、「ＡＵＴＰＬＡＹ５．ＭＲＫ」〜「ＡＵＴＰＬＡＹ８．ＭＲＫ」は空きであることが認識できる。また、対応テーブル２５から、「ＡＵＴＰＬＡＹ４．ＭＲＫ」〜「ＡＵＴＰＬＡＹ８．ＭＲＫ」のうち、子供の成長記録モード（分類名＝ｃｈｉｌｄ）に対応するＤＰＯＦファイルがないことも認識できる。このような状態で、子供の成長記録モードで撮影された場合、「ＡＵＴＰＬＡＹ５．ＭＲＫ」〜「ＡＵＴＰＬＡＹ８．ＭＲＫ」のうちの１つが子供の成長記録モードに対応付けられる。例えば、「ＡＵＴＰＬＡＹ５．ＭＲＫ」が対応づけられた場合、図１０（ｂ）に示すように対応テーブル２５が更新される。【００５５】
１−２−３  撮像動作
図１１のフローチャートを用いてデジタルカメラ１００の撮像動作を説明する。デジタルカメラ１００はシャッタ１１ａが押下されると（Ｓ１１）、画像データを生成する（Ｓ１２）。すなわち、ＣＣＤ３で生成された電気信号をＡ／Ｄ変換器５でデジタル信号に変換し、さらに信号処理回路７で所定の信号処理（補正、圧縮等）を行うことで画像データが生成される。【００５６】
マイコン９は、生成された画像データに対して、Ｅｘｉｆフォーマットにしたがいヘッダ部を付加して画像ファイルを生成し、その画像ファイルをメモリカード２００に記録する（Ｓ１３）。その際、Ｅｘｉｆフォーマットのヘッダ部の情報を、バッファメモリ１９にも格納する。これにより、以降、バッファメモリ１９を参照することで迅速にヘッダ部の情報を取得できる。【００５７】
その後、マイコン９は、バッファメモリ１９を参照してＥｘｉｆヘッダを解析し（Ｓ１４）、Ｅｘｉｆヘッダ内にモード情報（ｃｈｉｌｄ、ｃｏｏｋｉｎｇ等）が存在するか否かを確認する（Ｓ１５）。Ｅｘｉｆヘッダ内にモード情報があれば、さらに、対応テーブル２５を参照し、そのモード情報に対応するＤＰＯＦファイルがあるか否かを確認する（Ｓ１６）。【００５８】
マイコン９は、そのモード情報に対応するＤＰＯＦがあれば、画像ファイル名をＤＰＯＦファイルに追記する（Ｓ１７）。そのモード情報に対応するＤＰＯＦファイルがなければ、新たにＤＰＯＦファイルを作成し（Ｓ１８）、そのＤＰＯＦに画像ファイル名を書き込む（Ｓ１９）。このＤＰＯＦファイルの新規作成に伴い対応テーブル２５が更新される。【００５９】
マイコン９は、ＤＯＰＦファイルに記録された画像ファイル名の数（１ＪＯＢにつき１ファイルの場合は、ＪＯＢの数に等しい）が、管理限界枚数（例えば、９９９９）に達したか否かを判断する（Ｓ２０）。管理限界枚数に達していた場合は、ＤＰＯＦファイルとＦＡＴとの整合性チェックを行う（Ｓ２１）。このような方法により、通常はメモリカード２００内に実在する画像ファイルと、ＤＰＯＦファイルに記載された画像ファイル名との整合性をチェックせず、迅速にＤＰＯＦファイルを作成する一方で、所定のタイミングで、整合性をチェックして無駄な画像ファイル名を除去することができ、データの整合性を図りつつ全体として処理効率の低下を抑制している。【００６０】
なお、ＤＰＯＦファイル内に記載可能な画像ファイル名の数の上限を設けておき、ステップＳ１７において、新たにファイル名を追加しようとするときに、その上限を超えるおそれがあるときは、上限を超える旨をユーザに通知するようにしてもよい。または、そのＤＰＯＦファイル内にその旨を記載してもよく、これにより、そのＤＰＯＦファイルの記載を参照することで上限を超える可能性があることを認識できる。または、新たにファイル名を追加しようとするときに、その上限を超えるおそれがあるときは、より最近に記録された画像ファイルのファイル名が優先的にそのＤＰＯＦファイルに記載されるようにしてもよい。【００６１】
このように、撮像動作毎にアルバム用ＤＰＯＦファイルを作成するようにしたので、メモリカード２００内の画像分類情報を常に最新の状態に保つことができる。【００６２】
１−２−４  整合性チェック動作
図１２のフローチャートを参照し、図１１のフローチャートにおける整合性チェック動作（ステップＳ２１）について説明する。【００６３】
最初にメモリカード２００から１つのＤＰＯＦファイルを読み出す（Ｓ３１）。次に、ＦＡＴ（File Allocation Table）を読み出す（Ｓ３２）。ＦＡＴは図１３に示すようにファイル名、拡張名、属性、メモリカードへの記録時刻、記録日付、先頭クラスタ番号、ファイル長を含んでおり、ＦＡＴを参照することでメモリカード２００に格納されている全ての画像ファイルのファイル名を把握できる。【００６４】
ＤＰＯＦファイル内に含まれる画像ファイルのファイル名がＦＡＴに存在するか否かを確認する（Ｓ３３）。ＤＰＯＦファイル内に含まれる画像ファイルのファイル名がＦＡＴに存在しない場合、ＤＰＯＦファイルからそのファイル名を削除する（Ｓ３４）。ＤＰＯＦファイルに含まれる全ての画像ファイル名について上記確認を行う（Ｓ３５、Ｓ３６）。【００６５】
なお、整合性チェックと共に、画像ファイル数が管理限界枚数を超えている場合、その旨を液晶モニタ１３に表示するようにしてもよい。また、整合性チェックをした旨や管理限界枚数を超える旨をＤＰＯＦファイルに記録してもよい。また、管理限界枚数を超えるときには、最近の画像を優先して（すなわち古いファイルを消去して）、ＤＰＯＦファイルに記録するようにしてもよい。また、管理限界枚数を超えるときには、特定の期間（例えば、最近の１ヶ月）に限定してＤＰＯＦファイルに格納するようにしてもよい。【００６６】
１−２−５  「最近の１００枚」のＤＰＯＦファイルの作成動作
「最近の１００枚」アルバムは、ユーザが撮影した画像の中の最新の１００枚の画像を含む。「最近の１００枚」のグループに対する分類情報は「ＬＡＳＴ」である。前述のように「最近の１００枚」の分類に対しては専用のＤＰＯＦファイル（ＡＵＴＰＬＡＹ９．ＭＲＫ）が割り当てられている。以下、図１４を参照し、「最近の１００枚」用のアルバム用ＤＰＯＦファイルの作成動作について説明する。【００６７】
図１４において、デジタルカメラ１００の電源スイッチがオフに設定されると（Ｓ５１）、マイコン９はメモリカード２００のＦＡＴを解析し（Ｓ５２）、ＦＡＴの記録時刻、記録日付の情報を参照することにより、最近に撮影された１００枚の画像ファイルを特定する（Ｓ５３）。【００６８】
次に、「最近の１００枚」用のＤＰＯＦファイルが既に存在するか否かを確認する（Ｓ５４）。具体的には、対応テーブル２５を参照し、分類名が「ＬＡＳＴ」のものを検索することで確認を行う。分類名が「ＬＡＳＴ」のものが存在する場合、ＤＰＯＦファイル内の既存の全ての画像ファイル名を、ステップＳ５３で特定した１００枚の画像ファイルのファイル名で上書きする（Ｓ５５）。なお、最近に撮像された１００枚の画像ファイルのファイル名はＦＡＴ情報を参照することで得られる。【００６９】
分類名が「ＬＡＳＴ」のものが存在しない場合、「最近の１００枚」用のＤＰＯＦファイルを新たに作成し（Ｓ５６）、作成したＤＰＯＦファイルに最近に撮像された１００枚の画像ファイルのファイル名を書き込む（Ｓ５７）。このＤＰＯＦファイルの新規作成に伴い対応テーブル２５が更新される。最後に、デジタルカメラ１００の電源をオフする（Ｓ５８）。【００７０】
１−２−６  アルバム確認動作
次に、以上のようにしてメモリカード２００に記録された画像をユーザがデジタルカメラ２００で確認する際の動作について図１５を用いて説明する。以下では、同じカテゴリに分類された画像の集合である「アルバム」毎にユーザが画像を確認するための動作を説明する。【００７１】
操作部１１を介してユーザからアルバム確認動作の指示を受けると（Ｓ７１）、マイコン９はメモリカード２００からＤＰＯＦファイルを読み出す（Ｓ７２）。アルバム再生動作の指示は例えば図１６（ａ）に示す画面上でなされる。読み出したＤＰＯＦファイルから分類情報を読み出す（Ｓ７３）。例えば、図８に示すＤＰＯＦファイルの場合、ヘッダ部の”VUQ SLT=child”の”child”を分類情報として読み出す。メモリカード２００に格納されている全てのＤＰＯＦファイルについて分類情報を確認する（Ｓ７２〜Ｓ７４）。ＤＰＯＦファイルの分類情報を確認することで、そのＤＰＯＦファイルがアルバム用ＤＰＯＦファイルであるか否か、また、どの分類に対応しているかを認識できる。例えば、ＤＰＯＦファイルのヘッダ部に”VUQ SLT=child”の記述があれば、そのＤＰＯＦファイルは子供の成長記録モードに関するアルバム用ＤＰＯＦであると認識できる。【００７２】
読み出したＤＰＯＦファイルの中で、アルバム用ＤＰＯＦファイルが存在したか否かを判断する（Ｓ７５）。アルバム用ＤＰＯＦファイルが存在しない場合、図１６（ｃ）に示すようなアルバムが存在しない旨を示す画面を表示する（Ｓ７８）。【００７３】
アルバム用ＤＰＯＦファイルが存在した場合、図１６（ｂ）に示すようなアルバム選択画面を表示する（Ｓ７６）。図１６（ｂ）に示すアルバム選択画面では、表示可能なアルバム名を表示し、いずれか１つのアルバムが選択可能になっている。アルバム選択画面上でユーザにより１つのアルバムが選択された場合、自動的に順次画像が表示されるスライドショー表示またはユーザ操作にしたがい１枚ずつ画像が表示される手動再生が実行される（Ｓ７７）。【００７４】
以上の動作により、ユーザはデジタルカメラ１００で撮像した画像をカテゴリ毎（アルバム毎）にまとめて確認することができる。【００７５】
１−３  表示装置
次に、デジタルカメラ１００により画像が記録されたメモリカード２００から画像を再生可能な表示装置３００について説明する。【００７６】
１−３−１  表示装置の構成
図１７に表示装置３００の構成を示す。表示装置３００は、圧縮画像の伸張等の所定の画像処理を行う画像処理部３１と、表示装置３００の全体動作を制御するマイコン３３と、映像を表示する表示部３５と、ユーザが操作を行う操作部３７と、メモリカードを挿入するためのカードスロット３９とを備える。マイコン３３には、バッファメモリ４１とフラッシュメモリ４３とが接続されている。【００７７】
表示装置３００はフラッシュメモリ４３内にプログラムテーブルを格納する。図１８にプログラムテーブルの構成を示す。プログラムテーブル２７は、アルバムと、そのアルバムの再生時にマイコン３３が実行する制御プログラムとを関連づける。より具体的には、プログラムテーブル２７は、識別子と、アルバム名と、制御プログラム名とを関連づけている。識別子は、デジタルカメラ１００によりＤＰＯＦファイルに記録される分類情報に対応する。アルバムの種類毎に異なる制御プログラムを実行することで、アルバムに応じた再生方法が可能となる。【００７８】
１−３−２  表示装置の再生動作
図１９のフローチャートを参照して表示装置３００におけるアルバム選択及び再生動作について説明する。表示装置３００のカードスロット３９にメモリカード２００が挿入されると（Ｓ９１）、再生動作選択画面が表示される（Ｓ９２）。図２０（ａ）に再生動作選択画面の例を示す。図２０（ａ）の再生動作選択画面上では、手動再生表示、スライドショー（自動再生表示）、マルチ表示（複数画像の同時表示）の３つの再生方法が選択できる。【００７９】
再生動作選択画面上でいずれかの再生動作が選択されると、マイコン３３はメモリカード２００からＤＰＯＦファイルを読み出し（Ｓ９３）、読み出したＤＰＯＦファイルから、分類情報を読み出す（Ｓ９４）。メモリカード２００中の全てのＤＰＯＦファイルについて上記処理を行う（Ｓ９３〜Ｓ９５）。【００８０】
分類情報にしたがい、読み出したＤＰＯＦファイルの中にアルバム用ＤＰＯＦファイルが存在したか否かを判断する（Ｓ９６）。アルバム用ＤＰＯＦファイルが存在しない場合、図２０（ｃ）に示すようなアルバムが存在しない旨を示す画面を表示する（Ｓ９８）。【００８１】
アルバム用ＤＰＯＦファイルが存在した場合、図２０（ｂ）に示すようなアルバム選択画面を表示する（Ｓ９７）。その後、アルバム選択画面上でユーザによりアルバムが選択されると、選択されたアルバムに対応する制御プログラムにしたがい、ステップＳ９２で選択された再生方法で、そのアルバムの画像が再生される（Ｓ９９）。【００８２】
上記の例では、再生動作選択画面表示後にアルバム選択画面を表示したが、その逆でもよい。すなわち、最初にユーザにアルバムを選択させた後に再生動作を選択させるようにしてもよい。【００８３】
１−４  変形例
旅行モード用のアルバム用ＤＰＯＦファイルは、撮影毎又は電源オフ時に追記更新される。この更新は、旅行の終了日が経過すると、行わないようにする。その後、次の旅行の開始日が設定され、その開始日が到来すると、以前に保存されていた旅行モード用のアルバム用ＤＰＯＦファイルはクリアされ、新たな旅行モード用のＤＰＯＦファイルが作成される。【００８４】
アルバム用ＤＰＯＦファイル（分類管理ファイル）で管理されるデータの種類は静止画のみならず、音声付静止画、音声付動画でもよい。【００８５】
上記の表示装置３００の処理はホームサーバ４００に対しても同様に適用できる。【００８６】
分類管理ファイルは、異機種間で認識できるフォーマットで記述されていればよく、必ずしもＤＰＯＦ規格に準拠する必要はない。【００８７】
上記の例では「最近の１００枚」用のアルバム用ＤＰＯＦファイルを「ＡＵＴＰＬＡＹ９」に固定したが、「最近の１００枚」用のアルバム用ＤＰＯＦファイルを空いているファイルに適宜割り当てても良い。【００８８】
上記の例では、自動再生用ＤＰＯＦファイルに分類情報を付加して分類管理ファイルとして機能させたが、上記の本発明の思想は、自動印刷用ＤＰＯＦファイル（ＡＵＴＰＲＩＮＴ．ＭＲＫ）、自動送信用ＤＰＯＦファイル（ＡＵＴＸＦＥＲ．ＭＲＫ）にも同様に適用できる。【００８９】
１−５  まとめ
以上のように、本実施形態によれば、自動再生用ＤＰＯＦファイルに分類情報を追加するだけで、自動再生用ファイルを分類用管理ファイルとして機能させることができ、容易に分類用の管理ファイルを生成することができる。【００９０】
また、表示装置３００は、メモリカード２００内に格納されたＤＰＯＦファイルに事前に設定されている分類情報にしたがい、分類された画像のみの再生を実現する。すなわち、ユーザはメモリカード２００のＤＰＯＦファイルに事前に分類情報を設定しておけば、その後、表示装置３００において設定された分類にしたがった再生が可能となり、表示装置３００上で画像を分類するための操作を行う必要がない。【００９１】
（実施の形態２）
実施の形態１では、画像の撮像毎にアルバム用ＤＰＯＦファイルを追記していた。これに対して、本実施の形態では、ユーザによるアルバム作成が指示されたときのみ、アルバム用ＤＰＯＦファイルを作成する。このため、本実施形態のデジタルカメラ１００は、図２１に示すように、ユーザがアルバム作成を指示するための専用ボタン１１ｄをその背面に設けている。なお、ＤＰＯＦの作成指示は、必ずしも専用ボタン１１ｄで行われる必要はなく、設定画面上で行われてもよい。また、アルバム用ＤＰＯＦファイルの作成処理には時間がかかるので、その作成中は、ユーザの便宜を図り、対象画像を表示したり、作成の進捗や対象の撮影モード等を表示したりする。【００９２】
図２２は、本実施の形態のデジタルカメラにおける、アルバム用ＤＰＯＦファイルの作成処理のフローチャートである。【００９３】
ユーザによりアルバム作成ボタン１１ｄが押下されると（Ｓ１１１）、マイコン９はＦＡＴを解析し（Ｓ１１２）、ファイル名を取得する。バッファメモリ１９からそのファイル名の画像ファイルのＥｘｉｆヘッダを読み出し（Ｓ１１３）、解析する（Ｓ１１４）。解析の結果、Ｅｘｉｆヘッダ中にモード情報（シーンモード識別子）が存在すれば、対応テーブル２５を参照して、そのモード情報に対応したアルバム用ＤＰＯＦファイルが既に存在するか否かを確認する（Ｓ１１７）。対応するアルバム用ＤＰＯＦファイルが存在すれば、そのＤＰＯＦファイルにその画像ファイルのファイル名を追加する（Ｓ１２０）。対応するＤＰＯＦファイルが存在しなければ、ＤＰＯＦファイルを新規に作成し、その作成したＤＰＯＦファイルにその画像ファイルのファイル名を書き込み（Ｓ１２１）、対応テーブル２５を更新する。上記処理（Ｓ１１３〜Ｓ１２１）をメモリカード２００に格納された全ての画像ファイルについて行う。なお、上記処理中は、ユーザの処理待ち中の利便性を考慮し、処理されている画像のサムネイル画像の表示や、処理の進捗状況をバーを用いて表示するバー表示や、処理している画像のモード情報を表示するモード表示等がなされる（Ｓ１１６）。【００９４】
また、上記のフローでは、画像ファイルのＥｘｉｆヘッダの解析毎に対応ＤＰＯＦファイルの有無を判断し、存在しないと判断される毎にＤＰＯＦファイルを作成（Ｓ１２０）していた。しかし、全画像ファイルについてＥｘｉｆヘッダを解析し、対応ＤＰＯＦファイルの有無を判断した後、最後にまとめてＤＰＯＦファイルを作成するようにしてもよい。また、ＤＰＯＦファイルはデジタルカメラ１００の電源ＯＦＦ時に作成されてもよい。【００９５】
（実施の形態３）
前述の実施形態では、シーン撮影モードにおいて画像の撮影毎に、アルバム用ＤＰＯＦファイルの作成を行う例を説明した。本実施形態では、デジタルカメラ１００はシーン撮影モードにおいて各撮影モードの撮影回数が所定回数を超えたときにアルバム用ＤＰＯＦファイルの作成を行う例を説明する。【００９６】
図２３のフローチャートを用いて本実施形態のデジタルカメラの撮像動作を説明する。デジタルカメラ１００はシャッタ１１ａが押下されると（Ｓ１３１）、画像データを生成する（Ｓ１３２）。【００９７】
マイコン９は、生成された画像データに対して、Ｅｘｉｆフォーマットにしたがいヘッダ部を付加して画像ファイルを生成し、その画像ファイルをメモリカード２００に記録する（Ｓ１３３）。そして、撮影モードがシーン撮影モードか否かを判断し（Ｓ１３４）、シーン撮影モードであれば、カウンタをインクリメントする。カウンタはシーン撮影モードの撮影モード毎に設けられている。各撮影モードでの撮影回数をカウントする（Ｓ１３５）。カウンタの値はフラッシュメモリ２１に格納される。【００９８】
マイコン９は、カウンタの値が所定値を超えたか否かを判断する（Ｓ１３６）。カウンタの値が所定値を超えている場合、図２４に示すような、ユーザに対してアルバム用ＤＰＯＦファイルを作成するか否かの問い合わせを行う選択画面を表示する（Ｓ１３７）。選択画面上でユーザによりアルバム作成が選択された場合（Ｓ１３８）、アルバム用ＤＰＯＦファイルの作成処理を行う（Ｓ１３９）。この処理は前述のステップＳ１１３〜Ｓ１２１の処理と同じである。その後、カウンタをリセットし（Ｓ１４０）、処理を終了する。【００９９】
本実施形態によれば、シーン撮影モードで撮影された画像ファイルが相当量蓄積された時点でアルバム用ＤＰＯＦファイルが作成されるため、ユーザはシーン撮影モードでの撮影毎にアルバム用ＤＰＯＦファイルの作成処理を待つ必要がなく、ユーザの利便性を向上できる。【０１００】
なお、上記の例では、シーン撮影モードにおいて各撮影モードの撮影回数の代わりに、ＣＣＤ３が画像データを生成した回数、記録媒体に格納されている画像ファイルの数、又は記録媒体の空き容量が所定値に達したときに、ユーザに問い合わせを行って、アルバム用ＤＰＯＦファイルを作成するようにしてもよい。【０１０１】
また、上記の例では、カウンタの値が所定値を超えている場合、ユーザに対してアルバム用ＤＰＯＦファイルを作成するか否かの問い合わせを行う選択画面を表示するとしたが（Ｓ１３７）、ユーザーへの問い合わせを行わずに、直ぐにアルバム用ＤＰＯＦファイルの作成処理を行うようにしてもよい。これにより、アルバム用ＤＰＯＦファイルを迅速に作成できる。【０１０２】
（実施の形態４）
本実施形態では、「今日撮影したもの」というカテゴリを設けている。「今日撮影したもの」は、その日に撮影した画像のみを管理するカテゴリであり、このカテゴリに分類される画像ファイルが「今日撮影したもの」アルバムを構成する。ユーザは「今日撮影したもの」アルバムを選択することで、その日に撮影した全ての画像を容易に閲覧することができる。以下、「今日撮影したもの」アルバムの作成動作について説明する。【０１０３】
図２５に、「今日撮影したもの」用のアルバム用ＤＰＯＦファイルの記述を示す。同図に示すように「今日撮影したもの」用のアルバム用ＤＰＯＦファイルにおいて分類情報として"VUQ SLT=Today"が記述される。【０１０４】
図２６のフローチャートを参照し、本実施形態のデジタルカメラ１００による撮像及びＤＰＯＦファイルの作成動作を説明する。本実施形態では、画像が撮像される毎に（Ｓ１５１〜Ｓ１５２）、アルバム用ＤＰＯＦファイルに記述すべき情報をバッファメモリ１９に格納する（Ｓ１５３）。すなわち、デジタルカメラ１００の電源オンからオフまでの間のアルバム用ＤＰＯＦファイルに記述すべき情報がバッファメモリ１９に格納される。アルバム用ＤＰＯＦファイルに記述すべき情報とは、画像ファイルのファイル名などである。【０１０５】
デジタルカメラ１００の電源がオフにされると（Ｓ１５４）、「今日撮影したもの」用のアルバム用ＤＰＯＦファイルの作成日付が今日の日付か否かを判断する（Ｓ１５５）。具体的には、この判断は、ＤＰＯＦファイルにおいてVUQ DAYで指定された日付と、デジタルカメラ１００が持つ日付とを比較して行う。そして、ＤＰＯＦファイルの日付がデジタルカメラ１００の日付と等しければ、バッファメモリ１９に格納した情報をそのＤＰＯＦファイルに追記し（Ｓ１５６）、そうでなければ、そのＤＰＯＦファイルの内容をバッファメモリ１９に格納した情報で上書きする（Ｓ１５７）。【０１０６】
以上の処理により、「今日撮影したもの」アルバムに対応するアルバム用ＤＰＯＦファイルを作成することができる。【０１０７】
また、以上のようにバッファメモリ１９にアルバム用ＤＰＯＦファイルに記述すべき情報を格納しておくので、迅速にＤＰＯＦファイルの作成が可能となる。また、バッファメモリ１９の内容はデジタルカメラ１００の電源を切ると消去されるので、ＤＰＯＦファイルに画像ファイル名が重複して記載されることはない。【０１０８】
（実施の形態５）
アルバム用ＤＰＯＦファイルの記述形式について他の例をいくつか説明する。図８に示したＤＰＯＦファイルでは、VUQ RGN=BGNからVUQ RGN=ENDで挟まれたベンダーユニークの部分に、再生すべき画像ファイルのファイル名を記述していた（例えば、IMG SRC=".../DCIM/101-Pan/P1010002.JPG）。しかしながら、画像ファイルのファイル名をベンダーユニークの部分に含めないようにしてもよい。例えば、図２７Ａに示すように、ベンダーユニークの部分には、ベンダー名（VUQ VNM）と撮影モード情報(VUQ SLT)のみを記述するようにしてもよい。すなわち、「JOB」のセクションをベンダーユニーク部分の外に記述しても良い。なお、図２７Ａに示す例では、１つのベンダーユニーク部分に対して１つのＪＯＢを対応させて記述しているが、１つのベンダーユニーク部分に対して複数のＪＯＢを対応させて記述するようにしてもよい。例えば、図２７Ｂに示すように記述してもよい。なお、図２７Ｂのベンダーユニーク部分における"PROCEDURE"は、ＪＯＢで指定される画像ファイルに対して実施される処理がスライドショー表示であることを指定するための記述子である。【０１０９】
このようなＤＰＯＦファイルに対して、ベンダーユニークの記述を認識可能な再生装置は、ベンダーユニークの記述を解釈し、ベンダーユニークで記述された取り決めにしたがい、ＪＯＢ内に記述された画像ファイルを前述の実施形態の如く分類すべき画像ファイルとして認識する。一方、ベンダーユニークの記述を認識不可能な装置は、ベンダーユニークの記述を無視するとともに、ＪＯＢ内に記述された画像ファイルを通常の取り決めにしたがい自動再生すべき画像ファイルとして認識する。したがって、ベンダーユニークを認識不可能な装置であっても、このようなＤＰＯＦファイルに対して自動再生が可能となる。【０１１０】
また、図８に示したＤＰＯＦファイルでは、１つのベンダーユニークの部分に複数のＪＯＢが記述されていたが、１つのベンダーユニークの部分に１つのＪＯＢしか含めないようにしても良い。これにより、例えば図２８のように１つのＤＰＯＦファイルにおいて、記述部分（Ａ）と記述部分（Ｂ）のそれぞれにおいて異なる分類を指定できる。ベンダーユニークの記述を認識不可能な装置は、ベンダーユニークの記述の外に記載された画像ファイルを自動再生すべき画像ファイルとして認識する。【０１１１】
（実施の形態６）
前述の実施形態では、メモリカード２００を介して、画像ファイル及びアルバム用ＤＰＯＦファイル（分類管理ファイル）を取得していた。本実施形態では、メモリカード２００のような記録媒体を介さずに、通信によってデジタルカメラ１００から画像ファイル及びアルバム用ＤＰＯＦファイル（分類管理ファイル）を取得するための構成を説明する。【０１１２】
図２９は、ホームサーバ４００の構成を示した図である。ホームサーバ４００は例えばハードディスクレコーダである。ホームサーバ４００は、圧縮画像の伸張等の所定の画像処理を行う画像処理部６１と、ホームサーバ４００の全体動作を制御するマイコン６３と、映像信号を出力する出力部６５と、ユーザが操作を行う操作部６７と、画像データを格納するハードディスクドライブ６９と、外部機器と有線または無線で通信を行う通信部７１と、メモリカードを挿入するためのカードスロット７２とを備える。マイコン３３には、バッファメモリ７３とフラッシュメモリ７５とが接続されている。出力部６５は表示装置３００に接続される。通信部７１は、有線の場合は例えばＵＳＢを介して、無線の場合は無線ＬＡＮを介して、デジタルカメラ１００と通信を行うことができる。【０１１３】
図３０を参照して、ホームサーバ４００とデジタルカメラ１００間のデータのやりとりを説明する。【０１１４】
ホームサーバ４００はユーザよりアルバムの取得指示を受けると（Ｓ１７１）、通信部７１を介してデジタルカメラ１００に対して、自動再生用ＤＰＯＦファイルの送信を要求する（Ｓ１７２）。デジタルカメラ１００はメモリカード２００に記録された自動再生用ＤＰＯＦファイルを送信する（Ｓ１７３）。【０１１５】
ホームサーバ４００は通信部７１を介してデジタルカメラ１００から自動再生用ＤＰＯＦファイルを受信すると、受信したＤＰＯＦファイルを解析し、アルバム用ＤＰＯＦファイルが存在するか否かを判断する（Ｓ１７５）。この判断は、ＤＰＯＦファイル内のベンダーユニークの記述中に記載された分類情報（例えば"VUQ_SLT=child"）の記述を抽出することにより行う。【０１１６】
アルバム用ＤＰＯＦファイルが存在した場合、アルバム選択画面を表示する（Ｓ１７６）。ユーザによるアルバム選択がなされると（Ｓ１７７）、選択されたアルバムに含まれる画像ファイルの送信をデジタルカメラ１００に要求する（Ｓ１７８）。デジタルカメラ１００は、ホームサーバ４００から送信要求を受けると、要求された画像ファイルを送信する（Ｓ１７９）。【０１１７】
ホームサーバ４００はデジタルカメラ１００から画像ファイルを受信し（Ｓ１８０）、受信した画像ファイルをハードディスクドライブ６９に記録する（Ｓ１８１）。【０１１８】
以上のようにして、ホームサーバ４００はメモリカード２００のような記録媒体を介さずに、通信によってデジタルカメラ１００からアルバム用ＤＰＯＦファイルすなわち分類管理ファイルを取得することができる。
【産業上の利用可能性】
【０１１９】
本発明によれば、自動再生用ファイル（例えば、自動再生用のＤＰＯＦファイル）に分類情報を追加するだけで容易に画像分類用の管理ファイルを作成できるため、撮像した画像を分類して管理する撮像装置や画像を分類して表示する再生装置に有用である。
【図１】
2008081781.tif 000003
【図２】
2008081781.tif 000004
【図３】
2008081781.tif 000005
【図４】
2008081781.tif 000006
【図５】
2008081781.tif 000007
【図６】
2008081781.tif 000008
【図７】
2008081781.tif 000009
【図８】
2008081781.tif 000010
【図９】
2008081781.tif 000011
【図１０】
2008081781.tif 000012
【図１１】
2008081781.tif 000013
【図１２】
2008081781.tif 000014
【図１３】
2008081781.tif 000015
【図１４】
2008081781.tif 000016
【図１５】
2008081781.tif 000017
【図１６】
2008081781.tif 000018
【図１７】
2008081781.tif 000019
【図１８】
2008081781.tif 000020
【図１９】
2008081781.tif 000021
【図２０】
2008081781.tif 000022
【図２１】
2008081781.tif 000023
【図２２】
2008081781.tif 000024
【図２３】
2008081781.tif 000025
【図２４】
2008081781.tif 000026
【図２５】
2008081781.tif 000027
【図２６】
2008081781.tif 000028
【図２７Ａ】
2008081781.tif 000029
【図２７Ｂ】
2008081781.tif 000030
【図２８】
2008081781.tif 000031
【図２９】
2008081781.tif 000032
【図３０】
2008081781.tif 000033
【手続補正書】
【提出日】平成21年4月22日(2009.4.22)
【手続補正１】
【補正対象書類名】明細書
【補正対象項目名】全文
【補正方法】変更
【補正の内容】
【発明の詳細な説明】
【技術分野】
【０００１】
本発明は、記録媒体に記録された複数の画像データを分類して管理するための分類管理ファイル及び分類管理ファイルを作成する装置に関する。
【背景技術】
【０００２】
デジタルカメラでは一般に撮影した画像データを脱着可能な記録媒体に記録する。このような記録媒体はフラッシュメモリ等の不揮発性メモリを含み、例えば、ＳＤカード、コンパクトフラッシュ（登録商標）、スマートメディア（登録商標）、メモリスティック（登録商標）等がある。
【０００３】
デジタルカメラにより撮像した画像を記録媒体に記録する場合、画像データとともに、それを管理する管理ファイルが記録される。管理ファイルは、例えば、画像データの撮影日時やファイル名等の一般的な管理情報とともに、デジタルカメラに提供される種々の機能を実現するための管理情報を含む。
【０００４】
また、記録媒体は、デジタルカメラのみならず、携帯情報端末、プラズマディスプレイ、液晶テレビ、ＤＶＤプレーヤ、ハードディスクレコーダ等のＡＶ機器においても利用される。
【０００５】
例えば、プラズマディスプレイやハードディスクレコーダ等のＡＶ機器には、ＳＤカード等の記録媒体を挿入するためのスロットを備え、スロットに挿入された記録媒体に格納された画像を再生する機能を有するものがある。このようなＡＶ機器により、ユーザは、デジタルカメラで撮影した画像を、記録媒体を介して、プラズマディスプレイやハードディスクレコーダ等において容易に閲覧することができる。
【０００６】
一方、記録媒体は年々大容量化され、一つの記録媒体に記録され得る画像データ量も増加してきている。このため、記録媒体には多くの画像データが格納されている場合が多くなってきた。このような状況下では、ユーザは、閲覧したい所望の画像（例えば、子供が撮影された画像）を探すために煩雑な作業を行う必要がある。
【０００７】
このような問題を解決するために画像データを分類して管理することが有効である。デジタルカメラで撮像された画像データの分類技術に関し、特許文献１に開示がある。
【特許文献１】特開２００６−２２９２９３号公報
【発明の概要】
【発明が解決しようとする課題】
【０００８】
特許文献１は、画像データとキーワードとを対応づける情報を記述した分類用データと、画像データとを関連づけて記録媒体に記録するデジタルカメラを開示している。しかし、特許文献１では、分類用データは、その分類用データを生成したデジタルカメラでしか認識できないフォーマットで記述されており、そのデジタルカメラ以外の機器では通常認識できないと考えられる。他の機器において分類用データを認識できるようにするためには、他の機器において分類用データを認識するための手段（例えば、専用の制御プログラム）を実装する必要がある。また、デジタルカメラで生成した分類用データから、フォーマットが異なる他の機器においても認識できる分類用データを生成することは容易なことではない。また、デジタルカメラで撮影した画像データを記録媒体を介してＡＶ機器に提供し再生するという上記のような利用形態においては、特許文献１に開示の分類用データではその機能を発揮することはできない。
【０００９】
本発明は上記課題を解決すべくなされたものであり、その目的とするところは、異機種間での画像データの分類情報の共有化を実現しつつ、容易に生成される分類管理ファイル及びそのような分類管理ファイルを作成する分類管理ファイル作成装置を提供することにある。
【課題を解決するための手段】
【００１０】
本発明の第１の態様において、１又は複数の画像ファイルとともに記録媒体に格納され、分類された画像ファイル群を管理する分類管理ファイルが提供される。分類管理ファイルは、記録媒体に格納された画像ファイルの中で管理すべき画像ファイルを指定するための指定情報と、指定情報により指定される画像ファイルの分類を示す分類情報とを含む。指定情報は、記録媒体に格納された画像ファイルを自動再生制御するための管理ファイルの記述方法を規定した第１の取り決めにしたがい記述され、分類情報は第１の取り決めと異なる第２の取り決めにしたがい記述される。
【００１１】
本発明の第２の態様において、１又は複数の画像ファイルと共に記録媒体に格納される分類管理ファイルを参照して記録媒体に記録された画像ファイル群を分類する画像分類装置（例えば、テレビ装置、ＤＶＤレコーダ）が提供される。
分類管理ファイルは、記録媒体に格納された画像ファイルの中で管理すべき画像ファイルを指定するための指定情報と、指定情報により指定される画像ファイルの分類を示す分類情報とを含む。指定情報は、録媒体に格納された画像ファイルを自動再生制御するための管理ファイルの記述方法を規定した第１の取り決めにしたがい記述され、分類情報は第１の取り決めと異なる第２の取り決めにしたがい記述される。画像分類装置は、記録媒体から分類管理ファイルを読み出す手段と、分類管理ファイルを解釈して、記録媒体内に格納された画像ファイルを指定情報に基づいて特定し、特定された画像ファイルを分類情報に基づいて分類する制御手段とを備える。
【００１２】
本発明の第３の態様において、１又は複数の画像ファイルとともに記録媒体に格納され、分類された画像ファイル群を管理する分類管理ファイルを作成する分類管理ファイル作成装置（例えば、デジタルカメラ）が提供される。
管理ファイル作成装置は分類管理ファイルを作成する制御手段を備える。分類管理ファイルは、記録媒体に格納された画像ファイルの中で管理すべき画像ファイルを指定するための指定情報と、指定情報により指定される画像ファイルの分類を示す分類情報とを含む。指定情報は、記録媒体に格納された画像ファイルを自動再生制御するための管理ファイルの記述方法を規定した第１の取り決めにしたがい記述され、分類情報は第１の取り決めと異なる第２の取り決めにしたがい記述される。
【発明の効果】
【００１３】
本発明によれば、異機種間での分類情報の共有化を実現する自動再生用の管理ファイルをベースとして、その管理ファイルに分類情報を追加するだけで、その管理ファイルを分類管理ファイルとして機能させることができる。これにより、異機種間での分類情報の共有化を実現できる分類管理ファイルを容易に生成することができる。
【図面の簡単な説明】
【００１４】
【図１】本発明の全体システムの構成例を示す図
【図２】分類された画像のスライドショー表示を説明した図
【図３】デジタルカメラの構成図
【図４】（ａ）デジタルカメラの背面図、（ｂ）モードダイアルを示す図
【図５】シーン撮影モードの選択画面を示す図
【図６】Ｅｘｉｆフォーマットの画像ファイルの構成を示す図
【図７】メモリカードのディレクトリ構成を示す図
【図８】アルバム用ＤＰＯＦファイルの記述例を示す図
【図９】メモリカードのディレクトリ構成を示す図
【図１０】ＤＰＯＦファイルと分類名の対応テーブルの構成例を示す図
【図１１】本発明の実施の形態１におけるデジタルカメラの撮像及びＤＰＯＦ作成動作を示すフローチャート
【図１２】整合性チェック処理を示すフローチャート
【図１３】ＦＡＴ（File Allocation Table）の構成を示す図
【図１４】「最近の１００枚」のＤＰＯＦ作成動作の処理を示すフローチャート
【図１５】アルバム確認動作の処理を示すフローチャート
【図１６】アルバム確認動作時に表示される画面を説明した図
【図１７】表示装置の構成を示す図
【図１８】プログラムテーブルの構成を示す図
【図１９】アルバム選択及び再生動作の処理を示すフローチャート
【図２０】アルバム選択時に表示される画面を説明した図
【図２１】アルバム作成指示用の専用ボタンを備えたデジタルカメラの背面図
【図２２】本発明の実施の形態２のデジタルカメラにおけるアルバム用ＤＰＯＦファイルの作成処理のフローチャート
【図２３】本発明の実施の形態３のデジタルカメラの撮像動作の処理を示すフローチャート
【図２４】ユーザにアルバムを作成するか否かを確認する選択画面を示す図
【図２５】「今日撮影したもの」のカテゴリに対応するアルバム用ＤＰＯＦファイルの記述例を示す図
【図２６】本発明の実施の形態４のデジタルカメラの撮像及びＤＰＯＦ作成動作の処理を示すフローチャート
【図２７Ａ】本発明の実施の形態５におけるアルバム用ＤＰＯＦファイルの記述例を示す図
【図２７Ｂ】本発明の実施の形態５におけるアルバム用ＤＰＯＦファイルの記述例を示す図
【図２８】本発明の実施の形態５におけるアルバム用ＤＰＯＦファイルの記述例を示す図
【図２９】本発明の実施の形態６におけるホームサーバの構成を示す図
【図３０】ホームサーバとデジタルカメラ間のデータのやりとりを説明した図
【発明を実施するための形態】
【００１５】
以下、添付の図面を参照して本発明の実施の形態を説明する。
【００１６】
（実施の形態１）
１−１  全体システム
図１は、本発明のシステム全体の構成例を説明した図である。同図において、システムは、撮像装置１００と、プラズマディスプレイパネルテレビや液晶テレビ等の表示装置３００と、ＨＤＤレコーダ等のホームサーバ４００と、プリンタ５００とで構成される。
【００１７】
撮像装置１００で撮影された画像データはメモリカード２００に記録される。メモリカード２００は、ＳＤカード、コンパクトフラッシュ（登録商標）、スマートメディア（登録商標）、メモリスティック（登録商標）を含む。表示装置３００、ホームサーバ４００及びプリンタ５００のそれぞれは、メモリカード２００を挿入するためのカードスロットを備え、メモリカード２００を介して撮像装置１００で撮影された画像データを取得し、再生できる。また、プリンタ５００はメモリカード２００を介して撮像装置１００で撮影された画像データを取得し、印刷することができる。
【００１８】
このように本システムでは、メモリカード２００を介して、撮像装置１００で撮影された画像データを表示装置３００、ホームサーバ４００及びプリンタ５００で利用することができる。
【００１９】
メモリカード２００には、画像ファイルとともに、分類された画像ファイルを管理するための分類管理ファイルが記録されている。表示装置３００、ホームサーバ４００及びプリンタ５００は、メモリカード２００に記録された分類管理ファイルを参照することで、メモリカード２００に記録された複数の画像ファイルの中から同じ分類に属する画像ファイルのみを自動再生（スライドショー表示）させたり、印刷させることが可能となる。例えば、図２に示すように、表示装置３００はメモリカード２００に格納された分類管理ファイルを参照し、「子供の成長記録」として分類された画像ファイルのみを自動再生（スライドショー表示）させることができる。
【００２０】
撮像装置１００は、デジタルスチルカメラ、デジタルビデオカメラ、カメラ機能付携帯端末であってもよい。なお、以下では、撮像装置１００の一例としてデジタルスチルカメラ（以下「デジタルカメラ」という。）を用いて説明する。
【００２１】
１−２  デジタルカメラ
図３にデジタルカメラ１００の構成を示す。デジタルカメラ１００は、レンズ１と、光学情報を電気信号に変換するＣＣＤ３と、ＣＣＤ３からのアナログ信号をデジタル信号に変換するＡ／Ｄ変換器３と、Ａ／Ｄ変換器３からのデジタル信号が示す画像データに対して所定の信号処理を行う信号処理回路７と、デジタルカメラ全体の動作制御を行うマイコン９とを備える。さらに、デジタルカメラ１００は、ユーザが操作を行う操作部１１と、液晶モニタ１３と、メモリカード２００を挿入するカードスロット１５と、外部装置またはネットワークと通信を行う通信部１７と、作業記憶領域であるバッファメモリ１９と、フラッシュメモリ２１とを備える。
【００２２】
信号処理回路７は、Ａ／Ｄ変換器３から出力された画像データに対して、ガンマ補正等の前処理、ＹＣ変換、画像圧縮、画像伸張、電子ズーム処理等の所定のデータ処理を行う。信号処理回路７で処理された画像データはバッファメモリ１９に一時的に格納される。
【００２３】
操作部１１はユーザが種々の操作を行うための各種操作ボタンを含む。図４（ａ）はデジタルカメラ１００の背面図である。同図に示すように、操作部１１は、シャッタボタン１１ａ、撮影モードを選択するためのモードダイアル１１ｂ、種々の設定項目を指定するための方向キー１１ｃを含む。図４（ｂ）はモードダイアル１１ｂの詳細を示した図である。本実施形態のデジタルカメラ１００は、撮影モードとして、動画撮影モード、シーン撮影モード、ユーザ１モード、ユーザ２モード等が選択可能となっている。動画撮影モードは動画を撮影する際に選択されるモードである。ユーザ１モード、ユーザ２モードは、ユーザが自由に撮影条件を設定できるモードである。シーン撮影モードは、画像データに対して所定の分類情報を付加して記録するモードである。以下、シーン撮影モードについて説明する。
【００２４】
１−２−１  シーン撮影モード
シーン撮影モードにはさらに複数の撮影モードが含まれる。シーン撮影モードで画像を撮像した場合、画像データは、その撮影モードに対応した分類情報が付加されてメモリカード２００に記録される。図４（ｂ）に示すモードダイアル１１ｂにより、シーン撮影モードが選択されると、図５に示すような選択画面が液晶モニタ１３上に表示される。同図に示すように、撮影モードの選択画面が表示される。図５において、シーン撮影モードとして、「お父さん」、「お母さん」、「子供の成長記録」、「旅行」、「料理」、「仕事」の撮影モードが設定されている。
【００２５】
「子供の成長記録」モードでは、画像撮影時に、子供の月齢年齢を算出し、画像ファイルのヘッダに格納する。また、「子供の成長記録」モードを示す識別子（以下「シーン識別子」という）である「ｃｈｉｌｄ」が分類情報として画像ファイルのヘッダに記録される。なお、「子供の成長記録」モード用として、計算に用いる子供の誕生日の情報が、ユーザにより事前にデジタルカメラ１００（フラッシュメモリ２１）に格納される。月齢年齢は子供の生年月日とＦＡＴの記録日付／時刻の情報とから計算される。
【００２６】
「旅行」モードでは、画像撮影時に、旅行開始日から何日目かを算出し、算出した日数を画像ファイルのヘッダに格納する。また、「旅行」モードのシーン識別子である「ｔｒａｖｅｌ」が分類情報として画像ファイルのヘッダに記録される。なお、「旅行」モード用として、旅行の開始日、終了日の情報がユーザにより事前にデジタルカメラ１００（フラッシュメモリ２１）に格納される。
【００２７】
「料理」モードは、画像は固定された撮像条件（ホワイトバランス等）で撮像される。すなわち、「料理」モードでは、料理がおいしく見えるような撮像条件が設定されている。また、「料理」モードのシーン識別子である「ｃｏｏｋｉｎｇ」が分類情報として画像ファイルのヘッダに記録される。
【００２８】
「お父さん」モード、「お母さん」モードは、特定のユーザ別に使用できるように設定され、ユーザにより撮影条件や画像記録場所のカスタマイズが可能である。また、「お父さん」モード、「お母さん」モードのシーン識別子である「ｆａｔｈｅｒ」、「ｍｏｔｈｅｒ」が分類情報として画像ファイルのヘッダに記録される。
【００２９】
「仕事」モードでは、画像ファイルに対して”仕事”の分類情報が付加される。また、「仕事」モードのシーン識別子である「ｊｏｂ」が、分類情報として画像ファイルのヘッダに記録される。なお、「仕事」モード以外に、ユーザの用途に応じた種々のモードを設けても良い。
【００３０】
１−２−２  ディレクトリ構成、データフォーマット
本実施形態のデジタルカメラ１００およびメモリカード２００で取り扱うデータフォーマット、ディレクトリ構成等について説明する。
【００３１】
１−２−２−１  画像ファイルフォーマット
本実施形態では、画像データはＥｘｉｆフォーマット（Exchangeable Image File Format）にしたがい記録される。図６にＥｘｉｆフォーマットの画像ファイルの構成を示す。
【００３２】
Ｅｘｉｆフォーマットでは、画像データ（本画像）に対してヘッダ部（以下「Ｅｘｉｆヘッダ」という。）が付加される。Ｅｘｉｆヘッダには、画像データ（本画像）のサムネイル画像や属性情報が格納される。特に本実施形態では、属性情報として、どの撮影モードで撮影されたかを示すモード情報、撮影日時、子供の月齢年齢情報（子供の成長記録モードの場合）等の情報が記録される。モード情報はシーン撮影モードで撮影されたときに記録され、モード情報として、撮影モードを特定するシーンモード識別子が記録される。
【００３３】
例えば、撮影モードが「子供の成長記録」モードであるときは、Ｅｘｉｆヘッダにモード情報として識別子「ｃｈｉｌｄ」が記録される。さらに、月齢年齢が計算されＥｘｉｆヘッダに記録される。
【００３４】
また、「旅行」モードである場合、旅行の開始日から終了日の間に撮影した全画像データについて、そのＥｘｉｆヘッダにモード情報として識別子「ｔｒａｖｅｌ」が付加される。すなわち、旅行期間中に撮影した画像全てに自動的に旅行モードを示す識別子が付加される。旅行期間中に別のモードで撮影した画像には、旅行モードを示す識別子に加えて、それとはの別のモードを示す識別子がＥｘｉｆヘッダに付加される。
【００３５】
１−２−２−２  ディレクトリ構成
図７に、メモリカード２００のディレクトリ構成の一例を示す。メモリカード２００において、画像データはＤＣＦ（Design rule for Camera File system）規格にしたがい記録される。ＤＣＦ規格によれば、ルート（root）ディレクトリの下に、画像ファイルを格納するＤＣＩＭフォルダと、画像ファイルに対する管理ファイルを格納するＭＩＳＣフォルダとが存在する。図７では、ＤＣＩＭフォルダの下の１００フォルダに、３つの画像ファイル（P1000001.JP、P1000002.JP、P1000003.JP）が格納され、ＭＩＳＣフォルダに、２つの自動再生用ＤＰＯＦファイル（AUTPLAY4.MRK、AUTPLAY9.MRK）が格納されている。
【００３６】
１−２−２−３  アルバム用ＤＰＯＦファイル（分類管理ファイル）
本実施形態のデジタルカメラ１００はＤＰＯＦ（Digital Print Order Format）規格に準拠している。ＤＰＯＦ規格は、メモリカードのような記録媒体に記録された画像データ等の自動印刷、自動送信、自動再生を制御するための仕様を定めている。制御情報はＤＰＯＦファイルに記述される。例えば、自動再生のための制御情報は、ファイル名が”ＡＵＴＰＬＡＹｎ．ＭＲＫ”である自動再生用ＤＰＯＦファイルに記述される。メモリカードに画像データとともに自動再生用ＤＰＯＦファイルを格納しておけば、ＤＰＯＦ規格に準拠した機器にそのメモリカードがロードされた場合、その機器は、自動再生用ＤＰＯＦファイルの記述を解釈し、ＤＰＯＦファイル内に指定された画像を、指定された方法にしたがい自動再生（スライドショー表示）する。
【００３７】
本実施形態では、特に自動再生用のＤＰＯＦファイル（ＡＵＴＰＬＡＹｎ．ＭＲＫ）を分類管理ファイルとして機能させる。具体的には、自動再生用ＤＰＯＦファイルの記述中に画像ファイルの分類を示す分類情報を含めることで、自動再生用ＤＰＯＦファイルを分類管理ファイルとして機能させる。以下、分類管理ファイルとして機能する自動再生用ＤＰＯＦファイルを「アルバム用ＤＰＯＦファイル」と呼ぶ。
【００３８】
図８にアルバム用ＤＰＯＦファイル（”ＡＵＴＰＬＡＹ５．ＭＲＫ”）の記述例を示す。図８の記述において［ＨＤＲ］で始まるセクションはヘッダ部である。ヘッダ部のうち、GEN REV から USR UAD までの部分（Ａ）の記述はＤＰＯＦ規格に準拠して記述されている。特にこの部分は、ＤＰＯＦ規格に準拠した装置であれば、必ず解釈できるようにＤＰＯＦの必須の取り決めにしたがい記述される。ヘッダ部の各記述は以下の情報を定義する。
GEN REV:  ＤＰＯＦのバージョン
GEN CRT:  デジタルカメラの識別情報
USR UNM:  ユーザ名
USR UAD:  ユーザの住所
【００３９】
また、VUQ RGN = BGN から VUQ RGN = ENDで挟まれた部分（Ｂ）の記述は、ＤＰＯＦ規格において、機器の製造業者等が自由に設定できるように取り決められている。この部分（Ｂ）はＤＰＯＦ規格に準拠しているだけの装置では解釈できず、製造業者等の特別な取り決めに準拠している装置のみが解釈できる。以下、この部分（Ｂ）の記述を「ベンダーユニークの部分」という。本実施形態において、VUQ RGN = BGN〜VUQ RGN = ENDの部分（Ｂ）の記述は以下の情報を指定する。
VUQ VNM:  ベンダー名
VUQ SLT:  画像の分類情報
【００４０】
自動再生用ＤＰＯＦファイルに画像ファイルの分類を示す分類情報（VUQ SLT）を記述することで、当該ＤＰＯＦファイルを分類管理ファイルとして機能させる。
【００４１】
「ＪＯＢ」で始まるセクションは自動再生すべき画像ファイルを指定する。１つの「ＪＯＢ」のセクションにおいて、１つまたは複数の画像ファイルを指定できる。
PLY PID:  ジョブの識別子
PLY DUR:  一画像の再生時間（sec）
IMG FMT:  画像ファイルのフォーマット
IMG SRC:  自動再生される画像の情報（パス名及びファイル名）
【００４２】
VUQ RGN = BGN 〜 VUQ RGN = ENDの記述すなわちベンダーユニークの記述を理解できる装置は、図８のＤＰＯＦファイル（分類管理ファイル）で指定された画像が「ｃｈｉｌｄ（子供記録モード）」で分類された画像であることが認識できる。
【００４３】
一方、ＤＰＯＦ規格に準拠しているが、ベンダーユニークの部分の記述（VUQ RGN = BGN  〜  VUQ RGN = END）を理解できない装置は、ベンダーユニークの部分にＪＯＢが記載されていることから、このＤＰＯＦファイル（分類管理ファイル）が自動再生（スライドショー）用の管理ファイルであることは認識できるが、再生すべき画像ファイルが存在しないと認識する。但し、VUQ RGN = BGN 〜 VUQ RGN = ENDの外部に「ＪＯＢ」が記載されていれば、その装置でも、ＪＯＢの記述を理解し、自動再生することができる。
【００４４】
以上のように、画像ファイル名をVUQ RGN = BGN 〜 VUQ RGN = ENDで囲うことにより、その中の画像ファイルを、ベンダーユニークの記述を理解できない装置が誤って自動再生するということを防止できる。
【００４５】
図９は、図７に示すディレクトリ構造を持つメモリカード２００において、２つの画像ファイル（Ｐ１０１０００１．ＪＰＧ、Ｐ１０１０００２．ＪＰＧ）が新たに追加され、それにともない、それらの画像ファイルに対する分類管理ファイル（ＡＵＴＰＬＡＹ５．ＭＲＫ）が追加されたときのディレクトリ構造を示した図である。
【００４６】
１−２−２−４  アルバム用ＤＰＯＦファイルと分類名の対応テーブル
本実施形態のデジタルカメラ１００は、ＤＰＯＦファイルと分類名の対応テーブルを有している。以下この対応テーブルについて説明する。
【００４７】
ＤＰＯＦファイルがアルバム用ＤＰＯＦファイルであるのか、また、アルバム用ＤＰＯＦファイルがどの分類に対応するのかを認識することは、ＤＰＯＦファイルを解析することで可能である。しかし、ＤＰＯＦファイルの内容を認識する必要がある度毎に、ＤＰＯＦファイルを解析したのでは処理に時間を要する。
【００４８】
そこで、本実施形態のデジタルカメラは自動再生用ＤＰＯＦファイルと分類名の対応テーブルを有している。対応テーブルは、デジタルカメラ１００の電源オン時、またはメモリカード２００の挿入時に作成されてバッファメモリ１７に格納される。図１０は対応テーブルの例を示した図である。図１０に示すように対応テーブル２５はＤＰＯＦファイルのファイル名と分類（分類情報）とを関連づけている。
【００４９】
図１０において、「ＡＵＴＰＬＡＹ０．ＭＲＫ」〜「ＡＵＴＰＬＡＹ９．ＭＲＫ」は自動再生用のＤＰＯＦファイルである。本実施形態では、利用可能な自動再生用ＤＰＯＦファイルの数を１０個に制限している。具体的には、「ＡＵＴＰＬＡＹ０．ＭＲＫ」〜「ＡＵＴＰＬＡＹ９．ＭＲＫ」に制限している。
【００５０】
「ＡＵＴＰＬＡＹ０．ＭＲＫ」〜「ＡＵＴＰＬＡＹ３．ＭＲＫ」のＤＰＯＦは所定の用途（分類）に固定して使用される。例えば「ＡＵＴＰＬＡＹ１．ＭＲＫ」はスライドショー用管理ファイルとして固定し、「ＡＵＴＰＬＡＹ３．ＭＲＫ」は、ユーザのお気に入りの画像ファイルを管理するための管理ファイルとして固定する。これらのＤＰＯＦファイルには分類名「ｎｏｎ」が割り当てられる。「ｎｏｎ」は対応がないことを示す分類名である。
【００５１】
「ＡＵＴＰＬＡＹ９．ＭＲＫ」は、「最近の１００枚」という分類カテゴリに対するファイルとして固定する。これにより「最近の１００枚」用のＤＰＯＦファイルの領域が確実に確保され、「最近の１００枚」用のＤＰＯＦファイルを確実に設定することが可能となる。なお、「最近の１００枚」は、ユーザが最近に撮影した１００枚の画像を管理するカテゴリであり、このカテゴリに分類される画像ファイルが「最近の１００枚」アルバムを構成する。
【００５２】
「ＡＵＴＰＬＡＹ４．ＭＲＫ」〜「ＡＵＴＰＬＡＹ８．ＭＲＫ」については任意の分類カテゴリが割り当てられる。新たな撮影モードで撮影された画像がメモリカード２００内に記憶される毎に、その撮影モードの情報（モード情報）が、「ＡＵＴＰＬＡＹ４．ＭＲＫ」〜「ＡＵＴＰＬＡＹ８．ＭＲＫ」のファイルの中で未だ分類が割り当てられていない１つのファイルに割り当てられる。現実の利用を考慮すれば、メモリカードに現実に格納されている画像データの分類の数だけＤＰＯＦファイル（分類管理ファイル）があれば十分である。よって、このような方法により、デジタルカメラに設定できるシーン撮影モードの数を、自動再生用ＤＰＯＦファイルの制限数（本例では１０）よりも多く設定することが可能となる。
【００５３】
図１０（ａ）は、子供の成長記録モードで撮影前の対応テーブル２５の状態を、図１０（ｂ）は、子供の成長記録モードで撮影後の対応テーブル２５の状態の一例を示した図である。図１０（ａ）において、ＤＰＯＦファイル「ＡＵＴＰＬＡＹ５．ＭＲＫ」〜「ＡＵＴＰＬＡＹ８．ＭＲＫ」には「ｎｏｎ」が関連づけられている。「ｎｏｎ」は対応がないことを示すため、「ＡＵＴＰＬＡＹ５．ＭＲＫ」〜「ＡＵＴＰＬＡＹ８．ＭＲＫ」は空きであることが認識できる。また、対応テーブル２５から、「ＡＵＴＰＬＡＹ４．ＭＲＫ」〜「ＡＵＴＰＬＡＹ８．ＭＲＫ」のうち、子供の成長記録モード（分類名＝ｃｈｉｌｄ）に対応するＤＰＯＦファイルがないことも認識できる。このような状態で、子供の成長記録モードで撮影された場合、「ＡＵＴＰＬＡＹ５．ＭＲＫ」〜「ＡＵＴＰＬＡＹ８．ＭＲＫ」のうちの１つが子供の成長記録モードに対応付けられる。例えば、「ＡＵＴＰＬＡＹ５．ＭＲＫ」が対応づけられた場合、図１０（ｂ）に示すように対応テーブル２５が更新される。
【００５４】
１−２−３  撮像動作
図１１のフローチャートを用いてデジタルカメラ１００の撮像動作を説明する。デジタルカメラ１００はシャッタ１１ａが押下されると（Ｓ１１）、画像データを生成する（Ｓ１２）。すなわち、ＣＣＤ３で生成された電気信号をＡ／Ｄ変換器５でデジタル信号に変換し、さらに信号処理回路７で所定の信号処理（補正、圧縮等）を行うことで画像データが生成される。
【００５５】
マイコン９は、生成された画像データに対して、Ｅｘｉｆフォーマットにしたがいヘッダ部を付加して画像ファイルを生成し、その画像ファイルをメモリカード２００に記録する（Ｓ１３）。その際、Ｅｘｉｆフォーマットのヘッダ部の情報を、バッファメモリ１９にも格納する。これにより、以降、バッファメモリ１９を参照することで迅速にヘッダ部の情報を取得できる。
【００５６】
その後、マイコン９は、バッファメモリ１９を参照してＥｘｉｆヘッダを解析し（Ｓ１４）、Ｅｘｉｆヘッダ内にモード情報（ｃｈｉｌｄ、ｃｏｏｋｉｎｇ等）が存在するか否かを確認する（Ｓ１５）。Ｅｘｉｆヘッダ内にモード情報があれば、さらに、対応テーブル２５を参照し、そのモード情報に対応するＤＰＯＦファイルがあるか否かを確認する（Ｓ１６）。
【００５７】
マイコン９は、そのモード情報に対応するＤＰＯＦがあれば、画像ファイル名をＤＰＯＦファイルに追記する（Ｓ１７）。そのモード情報に対応するＤＰＯＦファイルがなければ、新たにＤＰＯＦファイルを作成し（Ｓ１８）、そのＤＰＯＦに画像ファイル名を書き込む（Ｓ１９）。このＤＰＯＦファイルの新規作成に伴い対応テーブル２５が更新される。
【００５８】
マイコン９は、ＤＯＰＦファイルに記録された画像ファイル名の数（１ＪＯＢにつき１ファイルの場合は、ＪＯＢの数に等しい）が、管理限界枚数（例えば、９９９９）に達したか否かを判断する（Ｓ２０）。管理限界枚数に達していた場合は、ＤＰＯＦファイルとＦＡＴとの整合性チェックを行う（Ｓ２１）。このような方法により、通常はメモリカード２００内に実在する画像ファイルと、ＤＰＯＦファイルに記載された画像ファイル名との整合性をチェックせず、迅速にＤＰＯＦファイルを作成する一方で、所定のタイミングで、整合性をチェックして無駄な画像ファイル名を除去することができ、データの整合性を図りつつ全体として処理効率の低下を抑制している。
【００５９】
なお、ＤＰＯＦファイル内に記載可能な画像ファイル名の数の上限を設けておき、ステップＳ１７において、新たにファイル名を追加しようとするときに、その上限を超えるおそれがあるときは、上限を超える旨をユーザに通知するようにしてもよい。または、そのＤＰＯＦファイル内にその旨を記載してもよく、これにより、そのＤＰＯＦファイルの記載を参照することで上限を超える可能性があることを認識できる。または、新たにファイル名を追加しようとするときに、その上限を超えるおそれがあるときは、より最近に記録された画像ファイルのファイル名が優先的にそのＤＰＯＦファイルに記載されるようにしてもよい。
【００６０】
このように、撮像動作毎にアルバム用ＤＰＯＦファイルを作成するようにしたので、メモリカード２００内の画像分類情報を常に最新の状態に保つことができる。
【００６１】
１−２−４  整合性チェック動作
図１２のフローチャートを参照し、図１１のフローチャートにおける整合性チェック動作（ステップＳ２１）について説明する。
【００６２】
最初にメモリカード２００から１つのＤＰＯＦファイルを読み出す（Ｓ３１）。次に、ＦＡＴ（File Allocation Table）を読み出す（Ｓ３２）。ＦＡＴは図１３に示すようにファイル名、拡張名、属性、メモリカードへの記録時刻、記録日付、先頭クラスタ番号、ファイル長を含んでおり、ＦＡＴを参照することでメモリカード２００に格納されている全ての画像ファイルのファイル名を把握できる。
【００６３】
ＤＰＯＦファイル内に含まれる画像ファイルのファイル名がＦＡＴに存在するか否かを確認する（Ｓ３３）。ＤＰＯＦファイル内に含まれる画像ファイルのファイル名がＦＡＴに存在しない場合、ＤＰＯＦファイルからそのファイル名を削除する（Ｓ３４）。ＤＰＯＦファイルに含まれる全ての画像ファイル名について上記確認を行う（Ｓ３５、Ｓ３６）。
【００６４】
なお、整合性チェックと共に、画像ファイル数が管理限界枚数を超えている場合、その旨を液晶モニタ１３に表示するようにしてもよい。また、整合性チェックをした旨や管理限界枚数を超える旨をＤＰＯＦファイルに記録してもよい。また、管理限界枚数を超えるときには、最近の画像を優先して（すなわち古いファイルを消去して）、ＤＰＯＦファイルに記録するようにしてもよい。また、管理限界枚数を超えるときには、特定の期間（例えば、最近の１ヶ月）に限定してＤＰＯＦファイルに格納するようにしてもよい。
【００６５】
１−２−５  「最近の１００枚」のＤＰＯＦファイルの作成動作
「最近の１００枚」アルバムは、ユーザが撮影した画像の中の最新の１００枚の画像を含む。「最近の１００枚」のグループに対する分類情報は「ＬＡＳＴ」である。前述のように「最近の１００枚」の分類に対しては専用のＤＰＯＦファイル（ＡＵＴＰＬＡＹ９．ＭＲＫ）が割り当てられている。以下、図１４を参照し、「最近の１００枚」用のアルバム用ＤＰＯＦファイルの作成動作について説明する。
【００６６】
図１４において、デジタルカメラ１００の電源スイッチがオフに設定されると（Ｓ５１）、マイコン９はメモリカード２００のＦＡＴを解析し（Ｓ５２）、ＦＡＴの記録時刻、記録日付の情報を参照することにより、最近に撮影された１００枚の画像ファイルを特定する（Ｓ５３）。
【００６７】
次に、「最近の１００枚」用のＤＰＯＦファイルが既に存在するか否かを確認する（Ｓ５４）。具体的には、対応テーブル２５を参照し、分類名が「ＬＡＳＴ」のものを検索することで確認を行う。分類名が「ＬＡＳＴ」のものが存在する場合、ＤＰＯＦファイル内の既存の全ての画像ファイル名を、ステップＳ５３で特定した１００枚の画像ファイルのファイル名で上書きする（Ｓ５５）。なお、最近に撮像された１００枚の画像ファイルのファイル名はＦＡＴ情報を参照することで得られる。
【００６８】
分類名が「ＬＡＳＴ」のものが存在しない場合、「最近の１００枚」用のＤＰＯＦファイルを新たに作成し（Ｓ５６）、作成したＤＰＯＦファイルに最近に撮像された１００枚の画像ファイルのファイル名を書き込む（Ｓ５７）。このＤＰＯＦファイルの新規作成に伴い対応テーブル２５が更新される。最後に、デジタルカメラ１００の電源をオフする（Ｓ５８）。
【００６９】
１−２−６  アルバム確認動作
次に、以上のようにしてメモリカード２００に記録された画像をユーザがデジタルカメラ２００で確認する際の動作について図１５を用いて説明する。以下では、同じカテゴリに分類された画像の集合である「アルバム」毎にユーザが画像を確認するための動作を説明する。
【００７０】
操作部１１を介してユーザからアルバム確認動作の指示を受けると（Ｓ７１）、マイコン９はメモリカード２００からＤＰＯＦファイルを読み出す（Ｓ７２）。アルバム再生動作の指示は例えば図１６（ａ）に示す画面上でなされる。読み出したＤＰＯＦファイルから分類情報を読み出す（Ｓ７３）。例えば、図８に示すＤＰＯＦファイルの場合、ヘッダ部の”VUQ SLT=child”の”child”を分類情報として読み出す。メモリカード２００に格納されている全てのＤＰＯＦファイルについて分類情報を確認する（Ｓ７２〜Ｓ７４）。ＤＰＯＦファイルの分類情報を確認することで、そのＤＰＯＦファイルがアルバム用ＤＰＯＦファイルであるか否か、また、どの分類に対応しているかを認識できる。例えば、ＤＰＯＦファイルのヘッダ部に”VUQ SLT=child”の記述があれば、そのＤＰＯＦファイルは子供の成長記録モードに関するアルバム用ＤＰＯＦであると認識できる。
【００７１】
読み出したＤＰＯＦファイルの中で、アルバム用ＤＰＯＦファイルが存在したか否かを判断する（Ｓ７５）。アルバム用ＤＰＯＦファイルが存在しない場合、図１６（ｃ）に示すようなアルバムが存在しない旨を示す画面を表示する（Ｓ７８）。
【００７２】
アルバム用ＤＰＯＦファイルが存在した場合、図１６（ｂ）に示すようなアルバム選択画面を表示する（Ｓ７６）。図１６（ｂ）に示すアルバム選択画面では、表示可能なアルバム名を表示し、いずれか１つのアルバムが選択可能になっている。アルバム選択画面上でユーザにより１つのアルバムが選択された場合、自動的に順次画像が表示されるスライドショー表示またはユーザ操作にしたがい１枚ずつ画像が表示される手動再生が実行される（Ｓ７７）。
【００７３】
以上の動作により、ユーザはデジタルカメラ１００で撮像した画像をカテゴリ毎（アルバム毎）にまとめて確認することができる。
【００７４】
１−３  表示装置
次に、デジタルカメラ１００により画像が記録されたメモリカード２００から画像を再生可能な表示装置３００について説明する。
【００７５】
１−３−１  表示装置の構成
図１７に表示装置３００の構成を示す。表示装置３００は、圧縮画像の伸張等の所定の画像処理を行う画像処理部３１と、表示装置３００の全体動作を制御するマイコン３３と、映像を表示する表示部３５と、ユーザが操作を行う操作部３７と、メモリカードを挿入するためのカードスロット３９とを備える。マイコン３３には、バッファメモリ４１とフラッシュメモリ４３とが接続されている。
【００７６】
表示装置３００はフラッシュメモリ４３内にプログラムテーブルを格納する。図１８にプログラムテーブルの構成を示す。プログラムテーブル２７は、アルバムと、そのアルバムの再生時にマイコン３３が実行する制御プログラムとを関連づける。より具体的には、プログラムテーブル２７は、識別子と、アルバム名と、制御プログラム名とを関連づけている。識別子は、デジタルカメラ１００によりＤＰＯＦファイルに記録される分類情報に対応する。アルバムの種類毎に異なる制御プログラムを実行することで、アルバムに応じた再生方法が可能となる。
【００７７】
１−３−２  表示装置の再生動作
図１９のフローチャートを参照して表示装置３００におけるアルバム選択及び再生動作について説明する。表示装置３００のカードスロット３９にメモリカード２００が挿入されると（Ｓ９１）、再生動作選択画面が表示される（Ｓ９２）。図２０（ａ）に再生動作選択画面の例を示す。図２０（ａ）の再生動作選択画面上では、手動再生表示、スライドショー（自動再生表示）、マルチ表示（複数画像の同時表示）の３つの再生方法が選択できる。
【００７８】
再生動作選択画面上でいずれかの再生動作が選択されると、マイコン３３はメモリカード２００からＤＰＯＦファイルを読み出し（Ｓ９３）、読み出したＤＰＯＦファイルから、分類情報を読み出す（Ｓ９４）。メモリカード２００中の全てのＤＰＯＦファイルについて上記処理を行う（Ｓ９３〜Ｓ９５）。
【００７９】
分類情報にしたがい、読み出したＤＰＯＦファイルの中にアルバム用ＤＰＯＦファイルが存在したか否かを判断する（Ｓ９６）。アルバム用ＤＰＯＦファイルが存在しない場合、図２０（ｃ）に示すようなアルバムが存在しない旨を示す画面を表示する（Ｓ９８）。
【００８０】
アルバム用ＤＰＯＦファイルが存在した場合、図２０（ｂ）に示すようなアルバム選択画面を表示する（Ｓ９７）。その後、アルバム選択画面上でユーザによりアルバムが選択されると、選択されたアルバムに対応する制御プログラムにしたがい、ステップＳ９２で選択された再生方法で、そのアルバムの画像が再生される（Ｓ９９）。
【００８１】
上記の例では、再生動作選択画面表示後にアルバム選択画面を表示したが、その逆でもよい。すなわち、最初にユーザにアルバムを選択させた後に再生動作を選択させるようにしてもよい。
【００８２】
１−４  変形例
旅行モード用のアルバム用ＤＰＯＦファイルは、撮影毎又は電源オフ時に追記更新される。この更新は、旅行の終了日が経過すると、行わないようにする。その後、次の旅行の開始日が設定され、その開始日が到来すると、以前に保存されていた旅行モード用のアルバム用ＤＰＯＦファイルはクリアされ、新たな旅行モード用のＤＰＯＦファイルが作成される。
【００８３】
アルバム用ＤＰＯＦファイル（分類管理ファイル）で管理されるデータの種類は静止画のみならず、音声付静止画、音声付動画でもよい。
【００８４】
上記の表示装置３００の処理はホームサーバ４００に対しても同様に適用できる。
【００８５】
分類管理ファイルは、異機種間で認識できるフォーマットで記述されていればよく、必ずしもＤＰＯＦ規格に準拠する必要はない。
【００８６】
上記の例では「最近の１００枚」用のアルバム用ＤＰＯＦファイルを「ＡＵＴＰＬＡＹ９」に固定したが、「最近の１００枚」用のアルバム用ＤＰＯＦファイルを空いているファイルに適宜割り当てても良い。
【００８７】
上記の例では、自動再生用ＤＰＯＦファイルに分類情報を付加して分類管理ファイルとして機能させたが、上記の本発明の思想は、自動印刷用ＤＰＯＦファイル（ＡＵＴＰＲＩＮＴ．ＭＲＫ）、自動送信用ＤＰＯＦファイル（ＡＵＴＸＦＥＲ．ＭＲＫ）にも同様に適用できる。
【００８８】
１−５  まとめ
以上のように、本実施形態によれば、自動再生用ＤＰＯＦファイルに分類情報を追加するだけで、自動再生用ファイルを分類用管理ファイルとして機能させることができ、容易に分類用の管理ファイルを生成することができる。
【００８９】
また、表示装置３００は、メモリカード２００内に格納されたＤＰＯＦファイルに事前に設定されている分類情報にしたがい、分類された画像のみの再生を実現する。すなわち、ユーザはメモリカード２００のＤＰＯＦファイルに事前に分類情報を設定しておけば、その後、表示装置３００において設定された分類にしたがった再生が可能となり、表示装置３００上で画像を分類するための操作を行う必要がない。
【００９０】
（実施の形態２）
実施の形態１では、画像の撮像毎にアルバム用ＤＰＯＦファイルを追記していた。これに対して、本実施の形態では、ユーザによるアルバム作成が指示されたときのみ、アルバム用ＤＰＯＦファイルを作成する。このため、本実施形態のデジタルカメラ１００は、図２１に示すように、ユーザがアルバム作成を指示するための専用ボタン１１ｄをその背面に設けている。なお、ＤＰＯＦの作成指示は、必ずしも専用ボタン１１ｄで行われる必要はなく、設定画面上で行われてもよい。また、アルバム用ＤＰＯＦファイルの作成処理には時間がかかるので、その作成中は、ユーザの便宜を図り、対象画像を表示したり、作成の進捗や対象の撮影モード等を表示したりする。
【００９１】
図２２は、本実施の形態のデジタルカメラにおける、アルバム用ＤＰＯＦファイルの作成処理のフローチャートである。
【００９２】
ユーザによりアルバム作成ボタン１１ｄが押下されると（Ｓ１１１）、マイコン９はＦＡＴを解析し（Ｓ１１２）、ファイル名を取得する。バッファメモリ１９からそのファイル名の画像ファイルのＥｘｉｆヘッダを読み出し（Ｓ１１３）、解析する（Ｓ１１４）。解析の結果、Ｅｘｉｆヘッダ中にモード情報（シーンモード識別子）が存在すれば、対応テーブル２５を参照して、そのモード情報に対応したアルバム用ＤＰＯＦファイルが既に存在するか否かを確認する（Ｓ１１７）。対応するアルバム用ＤＰＯＦファイルが存在すれば、そのＤＰＯＦファイルにその画像ファイルのファイル名を追加する（Ｓ１２０）。対応するＤＰＯＦファイルが存在しなければ、ＤＰＯＦファイルを新規に作成し、その作成したＤＰＯＦファイルにその画像ファイルのファイル名を書き込み（Ｓ１２１）、対応テーブル２５を更新する。上記処理（Ｓ１１３〜Ｓ１２１）をメモリカード２００に格納された全ての画像ファイルについて行う。なお、上記処理中は、ユーザの処理待ち中の利便性を考慮し、処理されている画像のサムネイル画像の表示や、処理の進捗状況をバーを用いて表示するバー表示や、処理している画像のモード情報を表示するモード表示等がなされる（Ｓ１１６）。
【００９３】
また、上記のフローでは、画像ファイルのＥｘｉｆヘッダの解析毎に対応ＤＰＯＦファイルの有無を判断し、存在しないと判断される毎にＤＰＯＦファイルを作成（Ｓ１２０）していた。しかし、全画像ファイルについてＥｘｉｆヘッダを解析し、対応ＤＰＯＦファイルの有無を判断した後、最後にまとめてＤＰＯＦファイルを作成するようにしてもよい。また、ＤＰＯＦファイルはデジタルカメラ１００の電源ＯＦＦ時に作成されてもよい。
【００９４】
（実施の形態３）
前述の実施形態では、シーン撮影モードにおいて画像の撮影毎に、アルバム用ＤＰＯＦファイルの作成を行う例を説明した。本実施形態では、デジタルカメラ１００はシーン撮影モードにおいて各撮影モードの撮影回数が所定回数を超えたときにアルバム用ＤＰＯＦファイルの作成を行う例を説明する。
【００９５】
図２３のフローチャートを用いて本実施形態のデジタルカメラの撮像動作を説明する。デジタルカメラ１００はシャッタ１１ａが押下されると（Ｓ１３１）、画像データを生成する（Ｓ１３２）。
【００９６】
マイコン９は、生成された画像データに対して、Ｅｘｉｆフォーマットにしたがいヘッダ部を付加して画像ファイルを生成し、その画像ファイルをメモリカード２００に記録する（Ｓ１３３）。そして、撮影モードがシーン撮影モードか否かを判断し（Ｓ１３４）、シーン撮影モードであれば、カウンタをインクリメントする。カウンタはシーン撮影モードの撮影モード毎に設けられている。各撮影モードでの撮影回数をカウントする（Ｓ１３５）。カウンタの値はフラッシュメモリ２１に格納される。
【００９７】
マイコン９は、カウンタの値が所定値を超えたか否かを判断する（Ｓ１３６）。カウンタの値が所定値を超えている場合、図２４に示すような、ユーザに対してアルバム用ＤＰＯＦファイルを作成するか否かの問い合わせを行う選択画面を表示する（Ｓ１３７）。選択画面上でユーザによりアルバム作成が選択された場合（Ｓ１３８）、アルバム用ＤＰＯＦファイルの作成処理を行う（Ｓ１３９）。この処理は前述のステップＳ１１３〜Ｓ１２１の処理と同じである。その後、カウンタをリセットし（Ｓ１４０）、処理を終了する。
【００９８】
本実施形態によれば、シーン撮影モードで撮影された画像ファイルが相当量蓄積された時点でアルバム用ＤＰＯＦファイルが作成されるため、ユーザはシーン撮影モードでの撮影毎にアルバム用ＤＰＯＦファイルの作成処理を待つ必要がなく、ユーザの利便性を向上できる。
【００９９】
なお、上記の例では、シーン撮影モードにおいて各撮影モードの撮影回数の代わりに、ＣＣＤ３が画像データを生成した回数、記録媒体に格納されている画像ファイルの数、又は記録媒体の空き容量が所定値に達したときに、ユーザに問い合わせを行って、アルバム用ＤＰＯＦファイルを作成するようにしてもよい。
【０１００】
また、上記の例では、カウンタの値が所定値を超えている場合、ユーザに対してアルバム用ＤＰＯＦファイルを作成するか否かの問い合わせを行う選択画面を表示するとしたが（Ｓ１３７）、ユーザーへの問い合わせを行わずに、直ぐにアルバム用ＤＰＯＦファイルの作成処理を行うようにしてもよい。これにより、アルバム用ＤＰＯＦファイルを迅速に作成できる。
【０１０１】
（実施の形態４）
本実施形態では、「今日撮影したもの」というカテゴリを設けている。「今日撮影したもの」は、その日に撮影した画像のみを管理するカテゴリであり、このカテゴリに分類される画像ファイルが「今日撮影したもの」アルバムを構成する。ユーザは「今日撮影したもの」アルバムを選択することで、その日に撮影した全ての画像を容易に閲覧することができる。以下、「今日撮影したもの」アルバムの作成動作について説明する。
【０１０２】
図２５に、「今日撮影したもの」用のアルバム用ＤＰＯＦファイルの記述を示す。同図に示すように「今日撮影したもの」用のアルバム用ＤＰＯＦファイルにおいて分類情報として"VUQ SLT=Today"が記述される。
【０１０３】
図２６のフローチャートを参照し、本実施形態のデジタルカメラ１００による撮像及びＤＰＯＦファイルの作成動作を説明する。本実施形態では、画像が撮像される毎に（Ｓ１５１〜Ｓ１５２）、アルバム用ＤＰＯＦファイルに記述すべき情報をバッファメモリ１９に格納する（Ｓ１５３）。すなわち、デジタルカメラ１００の電源オンからオフまでの間のアルバム用ＤＰＯＦファイルに記述すべき情報がバッファメモリ１９に格納される。アルバム用ＤＰＯＦファイルに記述すべき情報とは、画像ファイルのファイル名などである。
【０１０４】
デジタルカメラ１００の電源がオフにされると（Ｓ１５４）、「今日撮影したもの」用のアルバム用ＤＰＯＦファイルの作成日付が今日の日付か否かを判断する（Ｓ１５５）。具体的には、この判断は、ＤＰＯＦファイルにおいてVUQ DAYで指定された日付と、デジタルカメラ１００が持つ日付とを比較して行う。そして、ＤＰＯＦファイルの日付がデジタルカメラ１００の日付と等しければ、バッファメモリ１９に格納した情報をそのＤＰＯＦファイルに追記し（Ｓ１５６）、そうでなければ、そのＤＰＯＦファイルの内容をバッファメモリ１９に格納した情報で上書きする（Ｓ１５７）。
【０１０５】
以上の処理により、「今日撮影したもの」アルバムに対応するアルバム用ＤＰＯＦファイルを作成することができる。
【０１０６】
また、以上のようにバッファメモリ１９にアルバム用ＤＰＯＦファイルに記述すべき情報を格納しておくので、迅速にＤＰＯＦファイルの作成が可能となる。また、バッファメモリ１９の内容はデジタルカメラ１００の電源を切ると消去されるので、ＤＰＯＦファイルに画像ファイル名が重複して記載されることはない。
【０１０７】
（実施の形態５）
アルバム用ＤＰＯＦファイルの記述形式について他の例をいくつか説明する。図８に示したＤＰＯＦファイルでは、VUQ RGN=BGNからVUQ RGN=ENDで挟まれたベンダーユニークの部分に、再生すべき画像ファイルのファイル名を記述していた（例えば、IMG SRC=".../DCIM/101-Pan/P1010002.JPG）。しかしながら、画像ファイルのファイル名をベンダーユニークの部分に含めないようにしてもよい。例えば、図２７Ａに示すように、ベンダーユニークの部分には、ベンダー名（VUQ VNM）と撮影モード情報(VUQ SLT)のみを記述するようにしてもよい。すなわち、「JOB」のセクションをベンダーユニーク部分の外に記述しても良い。なお、図２７Ａに示す例では、１つのベンダーユニーク部分に対して１つのＪＯＢを対応させて記述しているが、１つのベンダーユニーク部分に対して複数のＪＯＢを対応させて記述するようにしてもよい。例えば、図２７Ｂに示すように記述してもよい。なお、図２７Ｂのベンダーユニーク部分における"PROCEDURE"は、ＪＯＢで指定される画像ファイルに対して実施される処理がスライドショー表示であることを指定するための記述子である。
【０１０８】
このようなＤＰＯＦファイルに対して、ベンダーユニークの記述を認識可能な再生装置は、ベンダーユニークの記述を解釈し、ベンダーユニークで記述された取り決めにしたがい、ＪＯＢ内に記述された画像ファイルを前述の実施形態の如く分類すべき画像ファイルとして認識する。一方、ベンダーユニークの記述を認識不可能な装置は、ベンダーユニークの記述を無視するとともに、ＪＯＢ内に記述された画像ファイルを通常の取り決めにしたがい自動再生すべき画像ファイルとして認識する。したがって、ベンダーユニークを認識不可能な装置であっても、このようなＤＰＯＦファイルに対して自動再生が可能となる。
【０１０９】
また、図８に示したＤＰＯＦファイルでは、１つのベンダーユニークの部分に複数のＪＯＢが記述されていたが、１つのベンダーユニークの部分に１つのＪＯＢしか含めないようにしても良い。これにより、例えば図２８のように１つのＤＰＯＦファイルにおいて、記述部分（Ａ）と記述部分（Ｂ）のそれぞれにおいて異なる分類を指定できる。ベンダーユニークの記述を認識不可能な装置は、ベンダーユニークの記述の外に記載された画像ファイルを自動再生すべき画像ファイルとして認識する。
【０１１０】
（実施の形態６）
前述の実施形態では、メモリカード２００を介して、画像ファイル及びアルバム用ＤＰＯＦファイル（分類管理ファイル）を取得していた。本実施形態では、メモリカード２００のような記録媒体を介さずに、通信によってデジタルカメラ１００から画像ファイル及びアルバム用ＤＰＯＦファイル（分類管理ファイル）を取得するための構成を説明する。
【０１１１】
図２９は、ホームサーバ４００の構成を示した図である。ホームサーバ４００は例えばハードディスクレコーダである。ホームサーバ４００は、圧縮画像の伸張等の所定の画像処理を行う画像処理部６１と、ホームサーバ４００の全体動作を制御するマイコン６３と、映像信号を出力する出力部６５と、ユーザが操作を行う操作部６７と、画像データを格納するハードディスクドライブ６９と、外部機器と有線または無線で通信を行う通信部７１と、メモリカードを挿入するためのカードスロット７２とを備える。マイコン３３には、バッファメモリ７３とフラッシュメモリ７５とが接続されている。出力部６５は表示装置３００に接続される。通信部７１は、有線の場合は例えばＵＳＢを介して、無線の場合は無線ＬＡＮを介して、デジタルカメラ１００と通信を行うことができる。
【０１１２】
図３０を参照して、ホームサーバ４００とデジタルカメラ１００間のデータのやりとりを説明する。
【０１１３】
ホームサーバ４００はユーザよりアルバムの取得指示を受けると（Ｓ１７１）、通信部７１を介してデジタルカメラ１００に対して、自動再生用ＤＰＯＦファイルの送信を要求する（Ｓ１７２）。デジタルカメラ１００はメモリカード２００に記録された自動再生用ＤＰＯＦファイルを送信する（Ｓ１７３）。
【０１１４】
ホームサーバ４００は通信部７１を介してデジタルカメラ１００から自動再生用ＤＰＯＦファイルを受信すると、受信したＤＰＯＦファイルを解析し、アルバム用ＤＰＯＦファイルが存在するか否かを判断する（Ｓ１７５）。この判断は、ＤＰＯＦファイル内のベンダーユニークの記述中に記載された分類情報（例えば"VUQ_SLT=child"）の記述を抽出することにより行う。
【０１１５】
アルバム用ＤＰＯＦファイルが存在した場合、アルバム選択画面を表示する（Ｓ１７６）。ユーザによるアルバム選択がなされると（Ｓ１７７）、選択されたアルバムに含まれる画像ファイルの送信をデジタルカメラ１００に要求する（Ｓ１７８）。デジタルカメラ１００は、ホームサーバ４００から送信要求を受けると、要求された画像ファイルを送信する（Ｓ１７９）。
【０１１６】
ホームサーバ４００はデジタルカメラ１００から画像ファイルを受信し（Ｓ１８０）、受信した画像ファイルをハードディスクドライブ６９に記録する（Ｓ１８１）。
【０１１７】
以上のようにして、ホームサーバ４００はメモリカード２００のような記録媒体を介さずに、通信によってデジタルカメラ１００からアルバム用ＤＰＯＦファイルすなわち分類管理ファイルを取得することができる。
【産業上の利用可能性】
【０１１８】
本発明によれば、自動再生用ファイル（例えば、自動再生用のＤＰＯＦファイル）に分類情報を追加するだけで容易に画像分類用の管理ファイルを作成できるため、撮像した画像を分類して管理する撮像装置や画像を分類して表示する再生装置に有用である。
【符号の説明】
【０１１９】
３  ＣＣＤ（撮像素子）
７  信号処理回路
９、３３  マイコン
１１、３７  操作部
１３  液晶モニタ
１５、３９  カードスロット
１９、４１  バッファメモリ
２１、４３  フラッシュメモリ
３１  画像処理部
３５  表示部
１００  デジタルカメラ
２００  メモリカード
３００  表示装置
４００  ホームサーバ（ハードディスクレコーダ）
５００  プリンタ
【手続補正２】
【補正対象書類名】特許請求の範囲
【補正対象項目名】全文
【補正方法】変更
【補正の内容】
【特許請求の範囲】
【請求項１】
１又は複数の画像ファイルとともに記録媒体に格納され、分類された画像ファイル群を管理する分類管理ファイルであって、
前記記録媒体に格納された画像ファイルの中で管理すべき画像ファイルを指定するための指定情報と、前記指定情報により指定される画像ファイルの分類を示す分類情報とを含み、
前記指定情報は、前記記録媒体に格納された画像ファイルを自動再生制御するための管理ファイルの記述方法を規定した第１の取り決めにしたがい記述され、前記分類情報は、前記第１の取り決めと異なる第２の取り決めにしたがい記述された、
分類管理ファイル。
【請求項２】
１又は複数の画像ファイルとともに記録媒体に格納される分類管理ファイルを参照して前記記録媒体に記録された画像ファイル群を分類する画像分類装置であって、
前記分類管理ファイルは、
前記記録媒体に格納された画像ファイルの中で管理すべき画像ファイルを指定するための指定情報と、前記指定情報により指定される画像ファイルの分類を示す分類情報とを含み、
前記指定情報は、前記記録媒体に格納された画像ファイルを自動再生制御するための管理ファイルの記述方法を規定した第１の取り決めにしたがい記述され、前記分類情報は、前記第１の取り決めと異なる第２の取り決めにしたがい記述され、
前記画像分類装置は、前記記録媒体から分類管理ファイルを読み出す手段と、分類管理ファイルを解釈して、前記記録媒体内に格納された画像ファイルを前記指定情報に基づいて特定し、前記特定された画像ファイルを前記分類情報に基づいて分類する制御手段とを備える、
画像分類装置。
【請求項３】
１又は複数の画像ファイルとともに記録媒体に格納され、分類された画像ファイル群を管理する分類管理ファイルを作成する分類管理ファイル作成装置であって、
前記分類管理ファイルを作成する制御手段を備え、
前記分類管理ファイルは、
前記記録媒体に格納された画像ファイルの中で管理すべき画像ファイルを指定するための指定情報と、前記指定情報により指定される画像ファイルの分類を示す分類情報とを含み、
前記指定情報は、前記記録媒体に格納された画像ファイルを自動再生制御するための管理ファイルの記述方法を規定した第１の取り決めにしたがい記述され、前記分類情報は前記第１の取り決めと異なる第２の取り決めにしたがい記述される、
分類管理ファイル作成装置。
【請求項４】
前記画像ファイルは、その画像ファイルが属する分類を示す分類識別子を格納可能であり、
前記制御手段は、前記分類識別子が前記画像ファイルに格納されている場合、前記分類識別子を読み出し、前記読み出した分類識別子に基づいて、前記分類情報を前記分類管理ファイルに記録する、
請求項３に記載の分類管理ファイル作成装置。
【請求項５】
前記記録媒体に格納可能な分類管理ファイルの数よりも前記分類情報の種類の数の方が多い、請求項４に記載の分類管理ファイル作成装置。
【請求項６】
前記制御手段は、自動再生用の管理ファイルであることを示す所定のファイル名を前記分類管理ファイルに付す、請求項３に記載の分類管理ファイル作成装置。
【請求項７】
前記制御手段は、前記分類管理ファイルに、事前に用意された所定数のファイル名の中の未使用の１つのファイル名を、前記管理ファイルのファイル名とその管理ファイル内に記載されている分類情報との対応関係を固定せずに割り当てる、
請求項３に記載の分類管理ファイル作成装置。
【請求項８】
前記制御手段は、前記自動再生用の管理ファイルであることを示す情報に前記分類管理ファイルを識別するための識別子を加えた情報を、前記分類管理ファイルのファイル名とする、
請求項３に記載の分類管理ファイル作成装置。
【請求項９】
前記分類管理ファイルを作成する旨の指示を受け付ける受付手段をさらに備え、
前記制御手段は、前記受付手段が前記指示を受け付けると、前記分類管理ファイルを作成する、請求項３に記載の分類管理ファイル作成装置。
【請求項１０】
被写体像を撮像して画像データを生成する撮像素子と、
前記画像データから画像ファイルを生成する画像処理手段と、
前記生成された画像ファイルを前記記録媒体に記録する記録手段とをさらに備え、
前記制御手段は、前記記録手段が前記記録媒体に画像ファイルを記録した回数に応じて、ユーザに対して、前記分類管理ファイルを作成するか否かの問い合わせを行う、請求項９に記載の分類管理ファイル作成装置。
【請求項１１】
被写体像を撮像して画像データを生成する撮像素子と、
前記画像データから画像ファイルを生成する画像処理手段と、
前記生成された画像ファイルを前記記録媒体に記録する記録手段とをさらに備え、
前記制御手段は、前記撮像素子が画像データを生成した回数に応じて、ユーザに対して、前記分類管理ファイルを作成するか否かの問い合わせを行う、請求項９に記載の分類管理ファイル作成装置。
【請求項１２】
被写体像を撮像して画像データを生成する撮像素子と、
前記画像データから画像ファイルを生成する画像処理手段と、
前記生成された画像ファイルを前記記録媒体に記録する記録手段とをさらに備え、
前記制御手段は、前記記録媒体に格納されている画像ファイルの数又は前記記録媒体の空き容量に応じて、ユーザに対して、前記分類管理ファイルを作成するか否かの問い合わせを行う、請求項９に記載の分類管理ファイル作成装置。
【請求項１３】
被写体像を撮像して画像データを生成する撮像素子と、
前記画像データから画像ファイルを生成する画像処理手段と、
前記生成された画像ファイルを前記記録媒体に記録する記録手段とをさらに備え、
前記制御手段は、前記撮像素子が画像データを生成した回数に応じて、前記分類管理ファイルを作成又は更新する、請求項３に記載の分類管理ファイル作成装置。
【請求項１４】
前記分類管理ファイル作成装置の電源の入／切の指示を受ける電源操作手段をさらに備え、
前記制御手段は、前記電源操作手段が前記分類管理ファイル作成装置の電源切の指示を受けたときに、前記分類管理ファイルを作成又は更新する、
請求項３に記載の分類管理ファイル作成装置。
【請求項１５】
前記制御手段は、前記分類管理ファイルを作成する際に、同じ分類情報を含む分類管理ファイルが既に存在する場合、既存の分類管理ファイルを上書きする、請求項３に記載の分類管理ファイル作成装置。
【請求項１６】
前記制御手段は、前記分類管理ファイルを作成する際に、同じ分類情報を含む分類管理ファイルが既に存在する場合、
前記分類管理ファイルで既に指定されている画像ファイル及び／又は新たに指定された画像ファイルが前記記録媒体に記録されているか否かを、前記記録媒体に記録されているファイル・アロケーション・テーブル（ＦＡＴ）を参照することにより確認し、
その確認結果にしたがって、新たに指定された画像ファイルの指定情報を、既存の分類管理ファイルに追加する、
請求項３に記載の分類管理ファイル作成装置。
【請求項１７】
前記制御手段は、
前記分類管理ファイルに記載可能な指定情報の数に上限を設け、
前記分類管理ファイルに記載すべき指定情報の数が前記上限を超える場合、上限を超える旨をユーザに対して通知する、請求項３に記載の分類管理ファイル作成装置。
【請求項１８】
前記制御手段は、
前記分類管理ファイルに記載可能な指定情報の数に上限を設け、
前記分類管理ファイルに記載すべき指定情報の数が前記上限を超える場合、上限を超える旨を分類前記管理ファイルに記載する、
請求項３に記載の分類管理ファイル作成装置。
【請求項１９】
前記制御手段は、
前記分類管理ファイルに記載可能な指定情報の数に上限を設け、
前記分類管理ファイルに記載すべき指定情報の数が前記上限を超える場合、前記記録媒体に記録された時間がより現在の時刻に近い画像ファイルの指定情報を、優先的に前記分類管理ファイルに記載する、請求項３に記載の分類管理ファイル作成装置。
【請求項２０】
前記制御手段は、前記記録媒体に格納されている画像ファイルであって、前記記録媒体に記録された時間が所定期間内にある画像ファイルを特定するための指定情報を前記分類管理ファイルに記載する、請求項３に記載の分類管理ファイル作成装置。
【請求項２１】
表示手段をさらに備え、
前記制御手段は、前記分類管理ファイルの作成処理について、その処理に要する時間を示す情報を前記表示手段に表示させる、請求項３に記載の分類管理ファイル作成装置。
【請求項２２】
表示手段をさらに備え、
前記制御手段は、前記分類管理ファイルの作成処理について、作成処理の進捗状況を示す情報を前記表示手段に表示させる、請求項３に記載の分類管理ファイル作成装置。
【請求項２３】
前記記録媒体に記録され、画像ファイルの記録順序を特定できる情報を含むテーブルに基づいて、記録時刻に応じて分類された画像を管理する分類管理ファイルを作成する、請求項３記載の分類管理ファイル作成装置。
【請求項２４】
前記第１の取り決めは前記所定フォーマットに必須の取り決めであり、前記第２の取り決めは前記所定フォーマットにおいて製造業者が任意に設定可能な取り決めである、請求項１記載の分類管理ファイル。
【請求項２５】
前記第１の取り決めは前記所定フォーマットに必須の取り決めであり、前記第２の取り決めは前記所定フォーマットにおいて製造業者が任意に設定可能な取り決めである、請求項２記載の画像分類装置。
【請求項２６】
前記第１の取り決めは前記所定フォーマットに必須の取り決めであり、前記第２の取り決めは前記所定フォーマットにおいて製造業者が任意に設定可能な取り決めである、請求項３記載の分類管理ファイル作成装置。
【手続補正３】
【補正対象書類名】図面
【補正対象項目名】全図
【補正方法】変更
【補正の内容】
【図１】
2008081781.tif 000034
【図２】
2008081781.tif 000035
【図３】
2008081781.tif 000036
【図４】
2008081781.tif 000037
【図５】
2008081781.tif 000038
【図６】
2008081781.tif 000039
【図７】
2008081781.tif 000040
【図８】
2008081781.tif 000041
【図９】
2008081781.tif 000042
【図１０】
2008081781.tif 000043
【図１１】
2008081781.tif 000044
【図１２】
2008081781.tif 000045
【図１３】
2008081781.tif 000046
【図１４】
2008081781.tif 000047
【図１５】
2008081781.tif 000048
【図１６】
2008081781.tif 000049
【図１７】
2008081781.tif 000050
【図１８】
2008081781.tif 000051
【図１９】
2008081781.tif 000052
【図２０】
2008081781.tif 000053
【図２１】
2008081781.tif 000054
【図２２】
2008081781.tif 000055
【図２３】
2008081781.tif 000056
【図２４】
2008081781.tif 000057
【図２５】
2008081781.tif 000058
【図２６】
2008081781.tif 000059
【図２７Ａ】
2008081781.tif 000060
【図２７Ｂ】
2008081781.tif 000061
【図２８】
2008081781.tif 000062
【図２９】
2008081781.tif 000063
【図３０】
2008081781.tif 000064
【国際調査報告】
2008081781.tif 000065
2008081781.tif 000066